(57)【特許請求の範囲】
【請求項１】
サービングノードであって、前記サービングノードは、
システムメッセージをブロードキャストするよう構成された送信ユニットと、
前記送信ユニットによって送信される前記システムメッセージに従って第1のユーザー機器（UE）によって送信されるランダムアクセスメッセージを受信するよう構成された受信ユニットとを含み、
前記送信ユニットは前記受信ユニットによって受信される前記ランダムアクセスメッセージに従ってランダムアクセス応答メッセージを前記第1のUEへ送信するようさらに構成され、
前記受信ユニットは前記送信ユニットによって送信される前記ランダムアクセス応答メッセージに従って前記第1のUEによって送信される無線リソース制御（RRC）接続要求メッセージを受信するようさらに構成され、前記サービングノードは、
前記受信ユニットによって受信される前記RRC接続要求メッセージに従ってRRC接続確立メッセージを生成するよう構成されたメッセージ生成ユニットを含み、
前記送信ユニットは前記メッセージ生成ユニットによって生成される前記RRC接続確立メッセージを前記第1のUEへ送信するようさらに構成され、
前記受信ユニットは前記第1のUEによって送信されるRRC接続確立完遂メッセージを受信するようさらに構成され、
前記送信ユニットは、第1のアンカーノードが前記第1のUEへ至るRRC接続を確立できるようにするため、前記受信ユニットによって受信される前記RRC接続確立完遂メッセージを前記第1のアンカーノードへ送信するようさらに構成され、
前記送信ユニットは、前記第1のUEによって送信される前記RRC接続確立完遂メッセージを前記受信ユニットが受信する前に、前記第1のUEの設定パラメータと前記第1のUEのUE識別子とを前記第1のアンカーノードへ送信するようさらに構成される、
サービングノード。
【請求項２】
前記送信ユニットは前記第1のアンカーノードへ前記RRC接続確立メッセージを送信するよう構成され、前記RRC接続確立メッセージは前記第1のUEの前記設定パラメータを含み、
前記RRC接続確立メッセージは第1の指示情報を搬送し、あるいは前記RRC接続確立メッセージを運ぶコントロールプレーンシグナリングメッセージが第1の指示情報を搬送し、前記第1の指示情報は前記RRC接続確立メッセージがシグナリング無線ベアラ（SRB）0によって運ばれるRRCメッセージであることを前記第1のアンカーノードが前記第1の指示情報に従って認識するために使われ、前記RRCメッセージは前記第1のアンカーノードのRRCレイヤーエンティティを用いて処理される、請求項1に記載のサービングノード。
【請求項３】
前記送信ユニットは、前記RRC接続確立完遂メッセージに第2の指示情報を加えることにより、あるいは前記RRC接続確立完遂メッセージを運ぶコントロールプレーンシグナリングメッセージに前記第2の指示情報を加えることにより、前記第1のアンカーノードへ前記第2の指示情報を送信するよう構成され、前記第2の指示情報は前記RRC接続確立完遂メッセージがシグナリング無線ベアラ（SRB）1によって運ばれるRRCメッセージであることを前記第1のアンカーノードが前記第2の指示情報に従って認識するために使われる、請求項1に記載のサービングノード。
【請求項４】
前記サービングノードは、
前記第1のUEによって送信され前記RRC接続確立完遂メッセージを含むRRCメッセージを、無線リンク制御（RLC）レイヤーエンティティを用いて対応するパケットデータコンバージェンスプロトコル・プロトコルデータユニット（PDCP PDU）に加工し、尚且つ前記第1のアンカーノードへ前記PDCP PDUを送信するよう構成されたパケットデータ処理ユニットをさらに含み、前記RRC接続確立完遂メッセージはシグナリング無線ベアラ（SRB）1が運ぶRRCメッセージであり、前記第1のアンカーノードにある第1のPDCPレイヤーエンティティは、SRB1が運ぶ前記RRCメッセージを処理し、尚且つ処理した前記RRCメッセージを前記第1のアンカーノードのRRCレイヤーエンティティへ送信し、あるいは、前記第1のアンカーノードにある第2のPDCPレイヤーエンティティは、SRB2が運ぶ前記RRCメッセージを処理し、尚且つ処理した前記RRCメッセージを前記第1のアンカーノードの前記RRCレイヤーエンティティへ送信する、請求項1から3のいずれか一項に記載のサービングノード。
【請求項５】
アンカーノードであって、前記アンカーノードは、
サービングノードによって送信される無線リソース制御（RRC）接続確立完遂メッセージを受信するよう構成された受信ユニットと、
第1のアンカーノードと第1のUEとの間にRRC接続を確立するよう構成された接続確立ユニットとを含み、
前記RRC接続確立完遂メッセージは前記サービングノードによって送信されるRRC接続確立メッセージに従って前記第1のUEによって生成されるRRC接続確立完遂メッセージであり、前記RRC接続確立完遂メッセージは前記サービングノードへ送信され、
前記受信ユニットは、前記サービングノードが前記第1のUEによって送信される前記RRC接続確立完遂メッセージを受信する前に、前記サービングノードによって送信される前記第1のUEの設定パラメータとUE識別子とを受信するようさらに構成される、
アンカーノード。
【請求項６】
前記受信ユニットは前記サービングノードによって送信される前記RRC接続確立メッセージを受信するよう構成され、前記RRC接続確立メッセージは前記第1のUEの前記設定パラメータを含み、
前記RRC接続確立メッセージは第1の指示情報を搬送し、あるいは前記RRC接続確立メッセージを運ぶコントロールプレーンシグナリングメッセージが第1の指示情報を搬送し、前記アンカーノードは、
前記RRC接続確立メッセージがシグナリング無線ベアラSRB0によって運ばれるRRCメッセージであることを前記第1の指示情報に従って認識するよう構成された認識ユニットをさらに含み、前記RRCメッセージは前記第1のアンカーノードのRRCレイヤーエンティティを用いて処理される、請求項5に記載のアンカーノード。
【請求項７】
前記受信ユニットは前記サービングノードによって送信され前記RRC接続確立完遂メッセージを運ぶコントロールプレーンシグナリングメッセージを受信するよう構成され、前記RRC接続確立完遂メッセージは第2の指示情報を搬送し、あるいは前記コントロールプレーンシグナリングメッセージが第2の指示情報を搬送し、前記アンカーノードは
、
前記RRC接続確立完遂メッセージがSRB1によって運ばれるRRCメッセージであることを前記第2の指示情報に従って認識するよう構成された認識ユニットをさらに含む、請求項5に記載のアンカーノード。
【請求項８】
前記受信ユニットは、前記サービングノードの無線リンク制御（RLC）レイヤーエンティティが前記第1のUEによって送信され前記RRC接続確立完遂メッセージを含むRRCメッセージをPDCP PDUに加工した後に送信される対応するパケットデータコンバージェンスプロトコル・プロトコルデータユニット（PDCP PDU）を受信するよう構成され、前記RRC接続確立完遂メッセージはSRB1が運ぶRRCメッセージであり、前記アンカーノードは、
SRB1が運ぶ前記RRCメッセージを第1のPDCPレイヤーエンティティを使って処理し、処理した前記RRCメッセージを前記第1のアンカーノードのRRCレイヤーエンティティへ送信するよう構成された第1のパケットデータ処理ユニットと、
SRB2が運ぶ前記RRCメッセージを第2のPDCPレイヤーエンティティを使って処理し、処理した前記RRCメッセージを前記第1のアンカーノードの前記RRCレイヤーエンティティへ送信するよう構成された第2のパケットデータ処理ユニットとをさらに含む、請求項5から7のいずれか一項に記載のアンカーノード。
【請求項９】
サービングノードであって、前記サービングノードは、
送信器と、
受信器と、
処理器とを含み、
前記送信器はシステムメッセージをブロードキャストするよう構成され、
前記受信器は前記システムメッセージに従って第1のユーザー機器UEによって送信されるランダムアクセスメッセージを受信するよう構成され、
前記送信器は前記第1のUEへランダムアクセス応答メッセージを送信するようさらに構成され、
前記受信器は前記第1のUEによって送信されるRRC接続要求メッセージを受信するようさらに構成され、
前記処理器は前記受信器によって受信される前記RRC接続要求メッセージに従ってRRC接続確立メッセージを生成するよう構成され、
前記送信器は前記処理器によって生成される前記RRC接続確立メッセージを前記第1のUEへ送信するようさらに構成され、
前記受信器は前記第1のUEによって送信されるRRC接続確立完遂メッセージを受信するようさらに構成され、
前記送信器は、第1のアンカーノードが前記第1のUEへ至るRRC接続を確立できるようにするため、前記RRC接続確立完遂メッセージを前記第1のアンカーノードへ送信するようさらに構成され、
前記送信器は、前記第1のUEによって送信される前記RRC接続確立完遂メッセージを前記受信器が受信する前に、前記第1のUEの設定パラメータと前記第1のUEのUE識別子とを前記第1のアンカーノードへ送信するようさらに構成される、
サービングノード。
【請求項１０】
アンカーノードであって、前記アンカーノードは、
受信器と、
処理器とを含み、
前記受信器はサービングノードによって送信されるRRC接続確立完遂メッセージを受信するよう構成され、
前記処理器は前記アンカーノードと第1のUEとの間にRRC接続を確立するよう構成され、
前記RRC接続確立完遂メッセージは前記サービングノードによって送信されるRRC接続確立メッセージに従って前記第1のUEによって生成される前記RRC接続確立完遂メッセージであり、前記RRC接続確立完遂メッセージは前記サービングノードへ送信され、
前記受信器は、前記サービングノードが前記第1のUEによって送信される前記RRC接続確立完遂メッセージを受信する前に、前記サービングノードによって送信される前記第1のUEの設定パラメータとUE識別子とを受信するようさらに構成される、
アンカーノード。
【請求項１１】
無線リソース制御（RRC）接続方法であって、前記方法は、
サービングノードにより、システムメッセージをブロードキャストするステップと、
前記サービングノードにより、前記システムメッセージに従って第1のユーザー機器（UE）によって送信されるランダムアクセスメッセージを受信するステップと、
前記第1のUEへランダムアクセス応答メッセージを送信するステップと、
前記サービングノードにより、前記第1のUEによって送信されるRRC接続要求メッセージを受信するステップと、
前記サービングノードにより、前記RRC接続要求メッセージに従ってRRC接続確立メッセージを生成するステップと、前記第1のUEへ前記RRC接続確立メッセージを送信するステップと、
前記サービングノードにより、前記第1のUEによって送信されるRRC接続確立完遂メッセージを受信するステップと、
第1のアンカーノードが前記第1のUEへ至るRRC接続を確立できるようにするため、前記サービングノードにより、前記RRC接続確立完遂メッセージを前記第1のアンカーノードへ送信するステップと
を含み、
前記サービングノードにより、前記第1のUEによって送信されるRRC接続確立完遂メッセージを受信する前記ステップの前に、
前記第1のUEの設定パラメータと前記第1のUEのUE識別子とを前記第1のアンカーノードへ送信するステップをさらに含む、方法。
【請求項１２】
前記第1のアンカーノードへ前記第1のUEの設定パラメータを送信する前記ステップは、前記第1のアンカーノードへ前記RRC接続確立メッセージを送信するステップであって、前記RRC接続確立メッセージは前記第1のUEの前記設定パラメータを含む、ステップを含み、
前記RRC接続確立メッセージは第1の指示情報を搬送し、あるいは前記RRC接続確立メッセージを運ぶコントロールプレーンシグナリングメッセージが第1の指示情報を搬送し、前記第1の指示情報は前記RRC接続確立メッセージがシグナリング無線ベアラ（SRB）0によって運ばれるRRCメッセージであることを前記第1のアンカーノードが前記第1の指示情報に従って認識するために使われ、前記RRCメッセージは前記第1のアンカーノードのRRCレイヤーエンティティを用いて処理される、請求項11に記載の方法。
【請求項１３】
前記サービングノードにより、第1のアンカーノードへ前記RRC接続確立完遂メッセージを送信する前記ステップは、前記サービングノードにより、前記RRC接続確立完遂メッセージに第2の指示情報を加えるステップ、あるいは前記RRC接続確立完遂メッセージを運ぶコントロールプレーンシグナリングメッセージに第2の指示情報を加えるステップと、前記第1のアンカーノードへ前記コントロールプレーンシグナリングメッセージを送信するステップであって、前記第2の指示情報は前記RRC接続確立完遂メッセージがシグナリング無線ベアラ（SRB）1によって運ばれるRRCメッセージであることを前記第1のアンカーノードが前記第2の指示情報に従って認識するために使われる、ステップを含む、請求項11に記載の方法。
【請求項１４】
前記方法は、前記サービングノードの無線リンク制御（RLC）レイヤーエンティティにより、前記第1のUEによって送信され前記RRC接続確立完遂メッセージを含むRRCメッセージを対応するパケットデータコンバージェンスプロトコル・プロトコルデータユニット（PDCP PDU）に加工するステップと、前記第1のアンカーノードへ前記PDCP PDUを送信するステップであって、前記RRC接続確立完遂メッセージはシグナリング無線ベアラ（SRB）1が運ぶRRCメッセージであり、前記第1のアンカーノードにある第1のPDCPレイヤーエンティティは、SRB1が運ぶ前記RRCメッセージを処理し、処理した前記RRCメッセージを前記第1のアンカーノードのRRCレイヤーエンティティへ送信し、あるいは、前記第1のアンカーノードにある第2のPDCPレイヤーエンティティは、SRB2が運ぶ前記RRCメッセージを処理し、処理した前記RRCメッセージを前記第1のアンカーノードの前記RRCレイヤーエンティティへ送信する、ステップをさらに含む、請求項11から13のいずれか一項に記載の方法。
【請求項１５】
無線リソース制御（RRC）接続方法であって、前記方法は、
第1のアンカーノードにより、サービングノードによって送信されるRRC接続確立完遂メッセージを受信するステップと、
前記第1のアンカーノードと第1のUEとの間にRRC接続を確立するステップとを含み、
前記RRC接続確立完遂メッセージは前記サービングノードによって送信されるRRC接続確立メッセージに従って前記第1のUEによって生成される前記RRC接続確立完遂メッセージであり、前記RRC接続確立完遂メッセージは前記サービングノードへ送信され、
前記方法は、
前記サービングノードが前記第1のUEによって送信される前記RRC接続確立完遂メッセージを受信する前に、前記第1のアンカーノードにより、前記サービングノードによって送信される前記第1のUEの設定パラメータとUE識別子とを受信するステップをさらに含む、
方法。
【請求項１６】
前記第1のアンカーノードにより、前記サービングノードによって送信される前記第1のUEの設定パラメータを受信する前記ステップは、前記第1のアンカーノードにより、前記サービングノードによって送信される前記RRC接続確立メッセージを受信するステップであって、前記RRC接続確立メッセージは前記第1のUEの前記設定パラメータを含む、ステップを含み、
前記RRC接続確立メッセージは第1の指示情報を搬送し、あるいは前記RRC接続確立メッセージを運ぶコントロールプレーンシグナリングメッセージが第1の指示情報を搬送し、前記方法は、前記第1のアンカーノードにより、前記RRC接続確立メッセージがシグナリング無線ベアラ（SRB）0によって運ばれるRRCメッセージであることを前記第1の指示情報に従って認識するステップであって、前記RRCメッセージは前記第1のアンカーノードのRRCレイヤーエンティティを用いて処理される、ステップをさらに含む、請求項15に記載の方法。
【請求項１７】
前記サービングノードによって送信されるRRC接続確立完遂メッセージを受信する前記ステップは、前記第1のアンカーノードにより、前記サービングノードによって送信され前記RRC接続確立完遂メッセージを運ぶコントロールプレーンシグナリングメッセージを受信するステップであって、前記RRC接続確立完遂メッセージは第2の指示情報を搬送し、あるいは前記コントロールプレーンシグナリングメッセージが第2の指示情報を搬送する、ステップと、前記第1のアンカーノードにより、前記RRC接続確立完遂メッセージがSRB1によって運ばれるRRCメッセージであることを前記第2の指示情報に従って認識するステップを含む、請求項15に記載の方法。
【請求項１８】
前記方法は、前記サービングノードの無線リンク制御（RLC）レイヤーエンティティが前記第1のUEによって送信され前記RRC接続確立完遂メッセージを含むRRCメッセージをPDCP PDUに加工した後に送信される対応するパケットデータコンバージェンスプロトコル・プロトコルデータユニット（PDCP PDU）を、前記第1のアンカーノードにより、受信するステップであって、前記RRC接続確立完遂メッセージはSRB1が運ぶRRCメッセージである、ステップと、前記第1のアンカーノードにある第1のPDCPレイヤーエンティティにより、SRB1が運ぶ前記RRCメッセージを処理するステップと、処理した前記RRCメッセージを前記第1のアンカーノードのRRCレイヤーエンティティへ送信するステップ、あるいは前記第1のアンカーノードにある第2のPDCPレイヤーエンティティにより、SRB2が運ぶ前記RRCメッセージを処理するステップと、処理した前記RRCメッセージを前記第1のアンカーノードの前記RRCレイヤーエンティティへ送信するステップとをさらに含む、請求項15から17のいずれか一項に記載の方法。
【請求項１９】
請求項11から18のいずれか一項に記載のステップをコンピュータに実行させるプログラム。
【発明の詳細な説明】
【技術分野】
【０００１】
本発明は移動通信分野に関し、具体的には無線リソース制御RRC接続方法および装置ならびにRRC再接続方法および装置に関する。
【背景技術】
【０００２】
ユーザー機器（UE、User Equipment）の数が増え続けているため、既存の無線通信システムではユーザーの無線通信要求を満たせなくなっている。このため無線通信システムのシステムキャパシティを早急に増大させる必要がある。システムキャパシティを増大させるには基地局を追加する方法を用いることができる。従来のやり方では1つのマクロセルの中で多数の小規模基地局が密に配備されることによってより多くのマイクロセルが形成される。ただし、ほとんどのUEはただ1つの基地局へ接続され、基地局はそれらのUEに無線接続サービスを提供する。説明を容易にするため、UEに無線通信サービスを提供する基地局をUEのサービングノードと呼ぶことにする。
【０００３】
先行技術でUEがある1つのセルから別のセルへ移動すると、あるいはUEがある1つの基地局の通信範囲から別の基地局の通信範囲へ移動すると、あるいはUEが無線リンク障害（RLF、Radio Link Failure）を検知すると、UEはサービングノードを切り替えることができ、つまりある1つの基地局から別の基地局にUEのサービングノードが切り替えられる。サービングノードはコントロールプレーンインターフェースを用いてモビリティマネジメントエンティティ（MME、Mobility Management Entity）へ接続され、ユーザープレーンインターフェースを用いてサービングゲートウェイ（SGW、Serving Gateway）へ接続される。このため、UEのサービングノードが切り替えられた後には、新たなサービングノードとMMEがサービングノードとMMEとのS1コントロールプレーン接続を更新するためのシグナリングを送信する必要があり、MMEとSGWもサービングノードとSGWとのS1ユーザープレーン接続を更新するためのシグナリングを送信する必要がある。この場合は毎回の切り替え過程で少なくとも4つのメッセージが使われる。基地局の数と配備密度が増すと切り替え回数が急増してコアネットワークのシグナリング負荷が急増する。また、それぞれのサービングノードはコントロールプレーンインターフェースを用いてMMEへ接続される。ページングメッセージを送信する必要がある場合、MMEはページングメッセージに対応するトラッキングエリア（TA、tracking area）にある全基地局へページングメッセージを送信するため、コアネットワークのシグナリング負荷が急増する。
【発明の概要】
【課題を解決するための手段】
【０００４】
先行技術で基地局が密に配備される場合に、サービングノードの切り替えやMMEによるページングメッセージの送信によって生じるコアネットワークのシグナリング負荷急増問題を解決するため、本発明の実施形態は無線リソース制御（RRC、Radio Resource Control）接続方法および装置ならびにRRC再接続方法および装置を提供する。
【０００５】
第1の態様によると、RRC接続装置が提供され、装置はサービングノードに配設され、装置は、
システムメッセージをブロードキャストするよう構成された送信ユニットと、
送信ユニットによって送信されるシステムメッセージに従って第1のユーザー機器UEによって送信されるランダムアクセスメッセージを受信するよう構成された受信ユニットとを含み、
送信ユニットは受信ユニットによって受信されるランダムアクセスメッセージに従ってランダムアクセス応答メッセージを第1のUEへ送信するようさらに構成され、
受信ユニットは送信ユニットによって送信されるランダムアクセス応答メッセージに従って第1のUEによって送信されるRRC接続要求メッセージを受信するようさらに構成され、装置は、
受信ユニットによって受信されるRRC接続要求メッセージに従ってRRC接続確立メッセージを生成するよう構成されたメッセージ生成ユニットを含み、
送信ユニットはメッセージ生成ユニットによって生成されるRRC接続確立メッセージを第1のUEへ送信するようさらに構成され、
受信ユニットは第1のUEによって送信されるRRC接続確立完遂メッセージを受信するようさらに構成され、
送信ユニットは、第1のアンカーノードが第1のUEへ至るRRC接続を確立できるようにするため、受信ユニットによって受信されるRRC接続確立完遂メッセージを第1のアンカーノードへ送信するようさらに構成される。
【０００６】
第1の態様を参照し、第1の態様の第1の実装において、メッセージ生成ユニットは、
少なくとも1つのUEによって送信されて受信ユニットによって受信されるRRC接続要求メッセージに従って、第1のUEを含む少なくとも1つのUEから第1のUEを選択するよう構成された選択サブユニットと、
選択サブユニットによって選択される第1のUEのRRC接続要求メッセージに従って第1のUEのRRC接続確立メッセージを生成するよう構成されたメッセージ生成サブユニットとを含む。
【０００７】
第1の態様、または第1の態様の第1の実装を参照し、第1の態様の第2の実装において、送信ユニットは、第1のUEによって送信されるRRC接続確立完遂メッセージを受信ユニットが受信する前に、第1のUEの設定パラメータと第1のUEのUE識別子とを第1のアンカーノードへ送信するようさらに構成される。
【０００８】
第1の態様の第2の実装を参照し、第1の態様の第3の実装において、送信ユニットは第1のアンカーノードへRRC接続確立メッセージを送信するよう具体的に構成され、RRC接続確立メッセージは第1のUEの設定パラメータを含み、
RRC接続確立メッセージは第1の指示情報を搬送し、あるいはRRC接続確立メッセージを運ぶコントロールプレーンシグナリングメッセージが第1の指示情報を搬送し、第1の指示情報はRRC接続確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される。
【０００９】
第1の態様の第2の実装を参照し、第1の態様の第4の実装において、送信ユニットは第1のアンカーノードへRRC接続確立メッセージを送信するよう具体的に構成され、RRC接続確立メッセージは第1のUEの設定パラメータを含み、
送信ユニットは第1のアンカーノードへ第1の指示情報を送信するようさらに構成され、第1の指示情報はRRC接続確立メッセージがシグナリング無線ベアラ（SRB、Signaling Radio Bearer）0が運ぶRRCメッセージであることを第1のアンカーノードが第1の指示情報に従って認識するために使われ、RRCメッセージは第1のアンカーノードのRRCレイヤーエンティティを用いて処理される。
【００１０】
第1の態様を参照し、第1の態様の第5の実装において、送信ユニットは、RRC接続確立完遂メッセージに第2の指示情報を加えることにより、あるいはRRC接続確立完遂メッセージを運ぶコントロールプレーンシグナリングメッセージに第2の指示情報を加えることにより、第1のアンカーノードへ第2の指示情報を送信するよう具体的に構成され、第2の指示情報はRRC接続確立完遂メッセージがシグナリング無線ベアラSRB1が運ぶRRCメッセージであることを第1のアンカーノードが第2の指示情報に従って認識するために使われる。
【００１１】
第1の態様を参照し、第1の態様の第6の実装において、送信ユニットは第1のアンカーノードへ第2の指示情報を送信するようさらに構成され、第2の指示情報はRRC接続確立完遂メッセージがシグナリング無線ベアラSRB1が運ぶRRCメッセージであることを第1のアンカーノードが第2の指示情報に従って認識するために使われる。
【００１２】
第1の態様、または第1の態様の第1から第6の実装のいずれか1つを参照し、第1の態様の第7の実装において、装置は、
第1のUEによって送信されRRC接続確立完遂メッセージを含むRRCメッセージを、無線リンク制御RLCレイヤーエンティティを用いて対応するパケットデータコンバージェンスプロトコル・プロトコルデータユニット（PDCP PDU、Packet Data Convergence Protocol Protocol Data Unit）に加工し、第1のアンカーノードへPDCP PDUを送信するよう構成されたパケットデータ処理ユニットをさらに含み、RRCメッセージはシグナリング無線ベアラSRB1が運ぶRRCメッセージまたはSRB2が運ぶRRCメッセージを含み、RRC接続確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【００１３】
第1の態様、または第1の態様の第1から第7の実装のいずれか1つを参照し、第1の態様の第8の実装において、受信ユニットは第1のアンカーノードによって送信されるRRCメッセージに対応するパケットデータコンバージェンスプロトコル・プロトコルデータユニットPDCP PDUを受信するよう具体的に構成され、RRCメッセージはシグナリング無線ベアラSRB1が運ぶRRCメッセージまたはSRB2が運ぶRRCメッセージを含み、RRCメッセージは、サービングノードの第1の無線リンク制御（RLC、Radio Link Control）レイヤーエンティティがSRB1が運ぶRRCメッセージを処理し、処理したRRCメッセージを媒体アクセス制御（MAC、Media Access Control）層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【００１４】
第2の態様によると、RRC再接続装置が提供され、装置はサービングノードに配設され、装置は、
システムメッセージをブロードキャストするよう構成された送信ユニットと、
送信ユニットによって送信されるシステムメッセージに従って第1のユーザー機器UEによって送信されるランダムアクセスメッセージを受信するよう構成された受信ユニットとを含み、
送信ユニットは受信ユニットによって受信されるランダムアクセスメッセージに従ってランダムアクセス応答メッセージを第1のUEへ送信するようさらに構成され、
受信ユニットは送信ユニットによって送信されるランダムアクセス応答メッセージに従って第1のUEによって送信されるRRC接続再確立要求メッセージを受信するようさらに構成され、装置は、
受信ユニットによって受信されるRRC接続再確立要求メッセージに従ってRRC接続再確立メッセージを生成するよう構成されたメッセージ生成ユニットを含み、
送信ユニットはメッセージ生成ユニットによって生成されるRRC接続再確立メッセージを第1のUEへ送信するようさらに構成され、
受信ユニットは送信ユニットによって送信されるRRC接続再確立メッセージに従って第1のUEによって送信されるRRC接続再確立完遂メッセージを受信するようさらに構成され、
送信ユニットは、第1のアンカーノードが第1のUEへ至るRRC接続を再度確立できるようにするため、受信ユニットによって受信されるRRC接続再確立完遂メッセージを第1のアンカーノードへ送信するようさらに構成される。
【００１５】
第2の態様を参照し、第2の態様の第1の実装において、装置は、
送信ユニットが第1のUEへRRC接続再確立メッセージを送信する前に、第1のアンカーノードがRRC接続を確立した第1のUEの第1のユーザー機器識別子UEIDと次ホップチェーンカウント（NCC、NextHopChainingCount）とを取得するよう構成された第1の取得ユニットをさらに含み、
受信ユニットは第1のUEによって送信されるRRC接続再確立要求メッセージを受信するよう具体的に構成され、RRC接続再確立要求メッセージは第1のUEIDを含み、
メッセージ生成ユニットは、受信ユニットによって受信される第1のUEIDに従って、第1の取得ユニットによって取得されるNCCを取得し、NCCを含むRRC接続再確立メッセージを生成するよう具体的に構成され、
送信ユニットはメッセージ生成ユニットによって生成されるRRC接続再確立メッセージを第1のUEへ送信するよう具体的に構成され、第1のUEはNCCに従って新たなキーを得る。
【００１６】
第2の態様の第1の実装を参照し、第2の態様の第2の実装において、第1の取得ユニットは、
第1のアンカーノードが第1のUEへ至るRRC接続を確立した後に、第1のアンカーノードがRRC接続を確立した第1のUEの第1のユーザー機器識別子UEIDと次ホップチェーンカウントNCCとを取得するよう具体的に構成され、あるいは
第1のアンカーノードへ要求メッセージが送信された後に、第1のアンカーノードによって送信される、RRC接続が確立された第1のUEの第1のUEIDとNCCとを、受信するよう具体的に構成される。
【００１７】
第2の態様の第1の実装を参照し、第2の態様の第3の実装において、装置は、
第1のアンカーノードがRRC接続を確立した第1のUEの第1のユーザー機器識別子UEIDと次ホップチェーンカウントNCCとを第1の取得ユニットが取得した後に、第1のアンカーノードから第1のUEのRRC接続が切断された後に、第1のアンカーノードによって送信されるシグナリングを受信するよう構成されたシグナリング受信ユニットと、
シグナリング受信ユニットによって受信されるシグナリングに従って第1のUEのNCCを解除するよう構成された解除ユニットとをさらに含む。
【００１８】
第2の態様を参照し、第2の態様の第4の実装において、装置は、
送信ユニットが第1のUEへRRC接続再確立メッセージを送信する前に、第1のアンカーノードが受け持つ隣接セルの識別子を取得するよう構成された第2の取得ユニットをさらに含み、
送信ユニットは、受信ユニットによって受信されるRRC接続再確立要求メッセージに含まれるソースセルの識別子に従って、ソースセルが第1のアンカーノードが受け持つ隣接セルであるか、あるいはソースセルが現在のセルであると認識される場合に、第1のUEへ第4の指示情報を送信するようさらに構成され、第4の指示情報は、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図するために使われる。
【００１９】
第2の態様を参照し、第2の態様の第5の実装において、送信ユニットは、受信ユニットが第1のUEによって送信されるRRC接続再確立完遂メッセージを受信する前に、第1のアンカーノードへRRC接続再確立メッセージと第1の指示情報とを送信するようさらに構成され、第1の指示情報はRRC接続再確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される。
【００２０】
第2の態様を参照し、第2の態様の第6の実装において、送信ユニットは、受信ユニットが第1のUEによって送信されるRRC接続再確立完遂メッセージを受信する前に、第1のアンカーノードへRRC接続再確立メッセージを送信するようさらに構成され、RRC接続再確立メッセージは第1の指示情報を搬送し、あるいはRRC接続再確立メッセージを運ぶコントロールプレーンシグナリングメッセージが第1の指示情報を搬送し、第1の指示情報はRRC接続再確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される。
【００２１】
第2の態様を参照し、第2の態様の第7の実装において、送信ユニットは、受信ユニットが第1のUEによって送信されるRRC接続再確立完遂メッセージを受信する前に、第1のアンカーノードへ第1のUEの設定パラメータを送信するようさらに構成される。
【００２２】
第2の態様を参照し、第2の態様の第8の実装において、送信ユニットは、RRC接続再確立完遂メッセージに第2の指示情報を加えることにより、あるいはRRC接続再確立完遂メッセージを運ぶコントロールプレーンシグナリングメッセージに第2の指示情報を加えることにより、第1のアンカーノードへ第2の指示情報を送信するよう具体的に構成され、第2の指示情報はRRC接続再確立完遂メッセージがシグナリング無線ベアラSRB1が運ぶRRCメッセージであることを第1のアンカーノードが第2の指示情報に従って認識するために使われる。
【００２３】
第2の態様を参照し、第2の態様の第9の実装において、送信ユニットは第1のアンカーノードへ第2の指示情報を送信するようさらに構成され、第2の指示情報はRRC接続再確立完遂メッセージがシグナリング無線ベアラSRB1が運ぶRRCメッセージであることを第1のアンカーノードが第2の指示情報に従って認識するために使われる。
【００２４】
第2の態様を参照し、第2の態様の第10の実装において、装置は、
第1のUEによって送信されRRC接続再確立完遂メッセージを含むRRCメッセージを、無線リンク制御RLCレイヤーエンティティを用いて対応するパケットデータコンバージェンスプロトコル・プロトコルデータユニットPDCP PDUに加工するよう構成されたパケットデータ処理ユニットをさらに含み、RRCメッセージはSRB1が運ぶRRCメッセージまたはSRB2が運ぶRRCメッセージを含み、RRC接続再確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【００２５】
第2の態様を参照し、第2の態様の第11の実装において、受信ユニットは第1のアンカーノードによって送信されるRRCメッセージに対応するパケットデータコンバージェンスプロトコル・プロトコルデータユニットPDCP PDUを受信するよう具体的に構成され、RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【００２６】
第3の態様によると、RRC接続装置が提供され、装置はアンカーノードに配設され、装置は、
サービングノードによって送信されるRRC接続確立完遂メッセージを受信するよう構成された受信ユニットと、
受信ユニットによって受信されるRRC接続確立完遂メッセージに従って第1のアンカーノードと第1のUEとの間にRRC接続を確立するよう構成された接続確立ユニットとを含み、
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【００２７】
第3の態様を参照し、第3の態様の第1の実装において、受信ユニットは、サービングノードが第1のUEによって送信されるRRC接続確立完遂メッセージを受信する前に、サービングノードによって送信される第1のUEの設定パラメータとUE識別子とを受信するようさらに構成される。
【００２８】
第3の態様の第1の実装を参照し、第3の態様の第2の実装において、受信ユニットはサービングノードによって送信されるRRC接続確立メッセージを受信するよう具体的に構成され、RRC接続確立メッセージは第1のUEの設定パラメータを含み、
RRC接続確立メッセージは第1の指示情報を搬送し、あるいはRRC接続確立メッセージを運ぶコントロールプレーンシグナリングメッセージが第1の指示情報を搬送し、装置は、
RRC接続確立メッセージがシグナリング無線ベアラSRB0が運ぶRRCメッセージであることを第1の指示情報に従って認識するよう構成された認識ユニットをさらに含み、RRCメッセージは第1のアンカーノードのRRCレイヤーエンティティを用いて処理される。
【００２９】
第3の態様の第1の実装を参照し、第3の態様の第3の実装において、受信ユニットはサービングノードによって送信されるRRC接続確立メッセージを受信するよう具体的に構成され、RRC接続確立メッセージは第1のUEの設定パラメータを含み、
受信ユニットはサービングノードによって送信される第1の指示情報を受信するようさらに構成され、
装置は、
RRC接続確立メッセージがシグナリング無線ベアラSRB0が運ぶRRCメッセージであることを第1の指示情報に従って認識するよう構成された認識ユニットをさらに含み、RRCメッセージは第1のアンカーノードのRRCレイヤーエンティティを用いて処理される。
【００３０】
第3の態様を参照し、第3の態様の第4の実装において、受信ユニットはサービングノードによって送信されRRC接続確立完遂メッセージを運ぶコントロールプレーンシグナリングメッセージを受信するよう具体的に構成され、RRC接続確立完遂メッセージは第2の指示情報を搬送し、あるいはコントロールプレーンシグナリングメッセージが第2の指示情報を搬送し、装置は、
RRC接続確立完遂メッセージがSRB1が運ぶRRCメッセージであることを第2の指示情報に従って認識するよう構成された認識ユニットをさらに含む。
【００３１】
第3の態様を参照し、第3の態様の第5の実装において、受信ユニットはサービングノードによって送信される第2の指示情報を受信するようさらに構成され、装置は、
RRC接続確立完遂メッセージがSRB1が運ぶRRCメッセージであることを第2の指示情報に従って認識するよう構成された認識ユニットをさらに含む。
【００３２】
第3の態様を参照し、第3の態様の第6の実装において、受信ユニットは、サービングノードの無線リンク制御RLCレイヤーエンティティが第1のUEによって送信されRRC接続確立完遂メッセージを含むRRCメッセージをPDCP PDUに加工した後に送信される対応するパケットデータコンバージェンスプロトコル・プロトコルデータユニットPDCP PDUを受信するよう具体的に構成され、RRCメッセージはSRB1が運ぶRRCメッセージまたはSRB2が運ぶRRCメッセージを含み、RRC接続確立完遂メッセージはSRB1が運ぶRRCメッセージであり、装置は、
SRB1が運ぶRRCメッセージを第1のPDCPレイヤーエンティティを使って処理し、処理したRRCメッセージをRRCレイヤーエンティティへ送信するよう構成された第1のパケットデータ処理ユニットと、
SRB2が運ぶRRCメッセージを第2のPDCPレイヤーエンティティを使って処理し、処理したRRCメッセージをRRCレイヤーエンティティへ送信するよう構成された第2のパケットデータ処理ユニットとをさらに含む。
【００３３】
第3の態様、または第3の態様の第1から第6の実装のいずれか1つを参照し、第3の態様の第7の実装において、装置は、
RRCメッセージに対応するパケットデータコンバージェンスプロトコル・プロトコルデータユニットPDCP PDUをサービングノードへ送信するよう構成された送信ユニットをさらに含み、RRCメッセージはSRB1が運ぶRRCメッセージまたはSRB2が運ぶRRCメッセージを含み、RRCメッセージは、サービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【００３４】
第4の態様によると、RRC再接続装置が提供され、装置はアンカーノードに配設され、装置は、
第2のサービングノードによって送信されるRRC接続再確立完遂メッセージを受信するよう構成された受信ユニットと、
受信ユニットによって受信されるRRC接続再確立完遂メッセージに従って第1のアンカーノードと第1のUEとの間にRRC接続を再度確立するよう構成された接続再確立ユニットとを含み、
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【００３５】
第4の態様を参照し、第4の態様の第1の実装において、装置は、
第2のサービングノードが第1のUEへRRC接続再確立メッセージを送信する前に、第1のアンカーノードがRRC接続を確立した第1のUEの第1のユーザー機器識別子UEIDと次ホップチェーンカウントNCCとを第2のサービングノードへ送信するよう構成された第1の送信ユニットをさらに含み、
受信ユニットは第1のUEによって送信されるRRC接続再確立要求メッセージを受信するよう具体的に構成され、RRC接続再確立要求メッセージは第1のUEIDを含み、
第2のサービングノードがRRC接続再確立要求メッセージに従ってRRC接続再確立メッセージを生成し、第1のUEへRRC接続再確立メッセージを送信することは、第2のサービングノードにより、第1のUEIDに従ってNCCを取得することと、NCCを含むRRC接続再確立メッセージを生成することと、第1のUEへRRC接続再確立メッセージを送信することとを含み、第1のUEはNCCに従って新たなキーを得る。
【００３６】
第4の態様の第1の実装を参照し、第4の態様の第2の実装において、第1の送信ユニットは、
第1のアンカーノードが第1のUEへ至るRRC接続を確立した後に、第1のアンカーノードがRRC接続を確立した第1のUEの第1のユーザー機器識別子UEIDと次ホップチェーンカウントNCCとを第2のサービングノードへ送信するよう具体的に構成され、あるいは
第1のアンカーノードが第2のサービングノードによって送信される要求メッセージを受信した後に、第1のアンカーノードがRRC接続を確立した第1のUEの第1のUEIDとNCCとを第2のサービングノードへ送信するよう具体的に構成される。
【００３７】
第4の態様の第1の実装を参照し、第4の態様の第3の実装において、装置は、
第1のアンカーノードがRRC接続を確立した第1のUEの第1のユーザー機器識別子UEIDと次ホップチェーンカウントNCCとを第1の送信ユニットが第2のサービングノードへ送信した後に、第1のアンカーノードから第1のUEのRRC接続が切断された後に、第2のサービングノードへシグナリングを送信するよう構成されたシグナリング送信ユニットをさらに含み、シグナリングは第2のサービングノードがシグナリングに従って第1のUEのNCCを解除するために使われる。
【００３８】
第4の態様を参照し、第4の態様の第4の実装において、装置は、
第2のサービングノードが第1のUEへRRC接続再確立メッセージを送信する前に、第1のアンカーノードが受け持つ隣接セルの識別子を第2のサービングノードへ送信するよう構成された第2の送信ユニットをさらに含み、
RRC接続再確立要求メッセージはソースセルの識別子を含み、第2のサービングノードは、ソースセルが第1のアンカーノードが受け持つ隣接セルであるか、あるいはソースセルが現在のセルであると認識し、第1のUEへ第4の指示情報を送信することにより、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図する。
【００３９】
第4の態様を参照し、第4の態様の第5の実装において、受信ユニットは、第2のサービングノードが第1のUEによって送信されるRRC接続再確立完遂メッセージを受信する前に、第2のサービングノードによって送信されるRRC接続再確立メッセージと第1の指示情報とを受信するようさらに構成され、装置は、
RRC接続再確立メッセージがシグナリング無線ベアラSRB0が運ぶRRCメッセージであることを第1の指示情報に従って認識するよう構成された認識ユニットをさらに含み、RRCメッセージは第1のアンカーノードのRRCレイヤーエンティティを用いて処理される。
【００４０】
第4の態様を参照し、第4の態様の第6の実装において、受信ユニットは、第2のサービングノードが第1のUEによって送信されるRRC接続再確立完遂メッセージを受信する前に、第2のサービングノードによって送信されるRRC接続再確立メッセージを受信するようさらに構成され、RRC接続再確立メッセージは第1の指示情報を搬送し、あるいはRRC接続再確立メッセージを運ぶコントロールプレーンシグナリングメッセージが第1の指示情報を搬送し、装置は、
RRC接続再確立メッセージがシグナリング無線ベアラSRB0が運ぶRRCメッセージであることを第1の指示情報に従って認識するよう構成された認識ユニットをさらに含み、RRCメッセージは第1のアンカーノードのRRCレイヤーエンティティを用いて処理される。
【００４１】
第4の態様を参照し、第4の態様の第7の実装において、受信ユニットは、第2のサービングノードが第1のUEによって送信されるRRC接続再確立完遂メッセージを受信する前に、第2のサービングノードによって送信される第1のUEの設定パラメータを受信するようさらに構成される。
【００４２】
第4の態様を参照し、第4の態様の第8の実装において、受信ユニットは第2のサービングノードによって送信されるRRC接続再確立完遂メッセージを受信するよう具体的に構成され、RRC接続再確立完遂メッセージは第2の指示情報を搬送し、あるいはRRC接続再確立完遂メッセージを運ぶコントロールプレーンシグナリングメッセージが第2の指示情報を搬送し、装置は、
RRC接続再確立完遂メッセージがシグナリング無線ベアラSRB1が運ぶRRCメッセージであることを第2の指示情報に従って認識するよう構成された認識ユニットをさらに含む。
【００４３】
第4の態様を参照し、第4の態様の第9の実装において、受信ユニットは第2のサービングノードによって送信される第2の指示情報を受信するようさらに構成され、装置は、
RRC接続再確立完遂メッセージがシグナリング無線ベアラSRB1が運ぶRRCメッセージであることを第2の指示情報に従って認識するよう構成された認識ユニットをさらに含む。
【００４４】
第4の態様を参照し、第4の態様の第10の実装において、受信ユニットは、第2のサービングノードの無線リンク制御RLCレイヤーエンティティが第1のUEによって送信されRRC接続再確立完遂メッセージを含むRRCメッセージをPDCP PDUに加工した後に、第1のアンカーノードへ送信される対応するパケットデータコンバージェンスプロトコル・プロトコルデータユニットPDCP PDUを受信するよう具体的に構成され、RRCメッセージはSRB1が運ぶRRCメッセージまたはSRB2が運ぶRRCメッセージを含み、RRC接続再確立完遂メッセージはSRB1が運ぶRRCメッセージであり、装置は、
SRB1が運ぶRRCメッセージを第1のアンカーノードにある第1のPDCPレイヤーエンティティを使って処理し、処理したRRCメッセージをRRCレイヤーエンティティへ送信するよう構成された第1のパケットデータ処理ユニットと、
SRB2が運ぶRRCメッセージを第1のアンカーノードにある第2のPDCPレイヤーエンティティを使って処理し、処理したRRCメッセージをRRCレイヤーエンティティへ送信するよう構成された第2のパケットデータ処理ユニットとをさらに含む。
【００４５】
第4の態様を参照し、第4の態様の第11の実装において、装置は、
RRCメッセージに対応するパケットデータコンバージェンスプロトコル・プロトコルデータユニットPDCP PDUを第2のサービングノードへ送信するよう構成された第3の送信ユニットをさらに含み、RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【００４６】
第5の態様によると、サービングノードが提供され、サービングノードは、
送信器と、
受信器と、
処理器とを含み、
送信器はシステムメッセージをブロードキャストするよう構成され、
受信器はシステムメッセージに従って第1のユーザー機器UEによって送信されるランダムアクセスメッセージを受信するよう構成され、
送信器は第1のUEへランダムアクセス応答メッセージを送信するようさらに構成され、
受信器は第1のUEによって送信されるRRC接続要求メッセージを受信するようさらに構成され、
処理器は受信器によって受信されるRRC接続要求メッセージに従ってRRC接続確立メッセージを生成するよう構成され、
送信器は処理器によって生成されるRRC接続確立メッセージを第1のUEへ送信するようさらに構成され、
受信器は第1のUEによって送信されるRRC接続確立完遂メッセージを受信するようさらに構成され、
送信器は、第1のアンカーノードが第1のUEへ至るRRC接続を確立できるようにするため、RRC接続確立完遂メッセージを第1のアンカーノードへ送信するようさらに構成される。
【００４７】
第6の態様によると、サービングノードが提供され、サービングノードは、
送信器と、
受信器と、
処理器とを含み、
送信器はシステムメッセージをブロードキャストするよう構成され、
受信器はシステムメッセージに従って第1のユーザー機器UEによって送信されるランダムアクセスメッセージを受信するよう構成され、
送信器は第1のUEへランダムアクセス応答メッセージを送信するようさらに構成され、
受信器は第1のUEによって送信されるRRC接続再確立要求メッセージを受信するようさらに構成され、
処理器は受信器によって受信されるRRC接続再確立要求メッセージに従ってRRC接続再確立メッセージを生成するよう構成され、
送信器は処理器によって生成されるRRC接続再確立メッセージを第1のUEへ送信するようさらに構成され、
受信器は第1のUEによって送信されるRRC接続再確立完遂メッセージを受信するようさらに構成され、
送信器は、第1のアンカーノードが第1のUEへ至るRRC接続を再度確立できるようにするため、RRC接続再確立完遂メッセージを第1のアンカーノードへ送信するようさらに構成される。
【００４８】
第7の態様によると、アンカーノードが提供され、アンカーノードは、
受信器と、
処理器とを含み、
受信器はサービングノードによって送信されるRRC接続確立完遂メッセージを受信するよう構成され、
処理器は受信器によって受信されるRRC接続確立完遂メッセージに従って第1のアンカーノードと第1のUEとの間にRRC接続を確立するよう構成され、
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【００４９】
第8の態様によると、アンカーノードが提供され、アンカーノードは、
受信器と、
処理器とを含み、
受信器は第2のサービングノードによって送信されるRRC接続再確立完遂メッセージを受信するよう構成され、
処理器は受信器によって受信されるRRC接続再確立完遂メッセージに従って第1のアンカーノードと第1のUEとの間にRRC接続を再度確立するよう構成され、
RRC接続再確立完遂メッセージはサービングノードによって送信されるRRC接続再確立メッセージに従って第1のUEによって生成されるRRC接続再確立完遂メッセージであり、RRC接続再確立完遂メッセージはサービングノードへ送信される。
【００５０】
第9の態様によると、RRC接続方法が提供され、方法は、
サービングノードにより、システムメッセージをブロードキャストするステップと、
サービングノードにより、システムメッセージに従って第1のユーザー機器UEによって送信されるランダムアクセスメッセージを受信するステップと、
第1のUEへランダムアクセス応答メッセージを送信するステップと、
サービングノードにより、第1のUEによって送信されるRRC接続要求メッセージを受信するステップと、
サービングノードにより、RRC接続要求メッセージに従ってRRC接続確立メッセージを生成するステップと、第1のUEへRRC接続確立メッセージを送信するステップと、
サービングノードにより、第1のUEによって送信されるRRC接続確立完遂メッセージを受信するステップと、
第1のアンカーノードが第1のUEへ至るRRC接続を確立できるようにするため、サービングノードにより、RRC接続確立完遂メッセージを第1のアンカーノードへ送信するステップとを含む。
【００５１】
第9の態様を参照し、第9の態様の第1の実装において、
サービングノードにより、RRC接続要求メッセージに従ってRRC接続確立メッセージを生成するステップは、サービングノードにより、少なくとも1つのUEによって送信される受信RRC接続要求メッセージに従って第1のUEを含む少なくとも1つのUEから第1のUEを選択するステップと、第1のUEのRRC接続要求メッセージに従って第1のUEのRRC接続確立メッセージを生成するステップとを含む。
【００５２】
第9の態様、または第9の態様の第1の実装を参照し、第9の態様の第2の実装において、サービングノードにより、第1のUEによって送信されるRRC接続確立完遂メッセージを受信するステップの前に、方法は、
第1のUEの設定パラメータと第1のUEのUE識別子とを第1のアンカーノードへ送信するステップをさらに含む。
【００５３】
第9の態様の第2の実装を参照し、第9の態様の第3の実装において、第1のアンカーノードへ第1のUEの設定パラメータを送信するステップは、第1のアンカーノードへRRC接続確立メッセージを送信するステップであって、RRC接続確立メッセージは第1のUEの設定パラメータを含む、ステップを含み、
RRC接続確立メッセージは第1の指示情報を搬送し、あるいはRRC接続確立メッセージを運ぶコントロールプレーンシグナリングメッセージが第1の指示情報を搬送し、第1の指示情報はRRC接続確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される。
【００５４】
第9の態様の第2の実装を参照し、第9の態様の第4の実装において、第1のアンカーノードへ第1のUEの設定パラメータを送信するステップは、第1のアンカーノードへRRC接続確立メッセージを送信するステップであって、RRC接続確立メッセージは第1のUEの設定パラメータを含む、ステップを含み、
方法は、サービングノードにより、第1のアンカーノードへ第1の指示情報を送信するステップであって、第1の指示情報はRRC接続確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される、ステップをさらに含む。
【００５５】
第9の態様を参照し、第9の態様の第5の実装において、サービングノードにより、第1のアンカーノードへRRC接続確立完遂メッセージを送信するステップは、サービングノードにより、RRC接続確立完遂メッセージに第2の指示情報を加えることにより、あるいはRRC接続確立完遂メッセージを運ぶコントロールプレーンシグナリングメッセージに第2の指示情報を加えることにより、第1のアンカーノードへ第2の指示情報を送信するステップであって、第2の指示情報はRRC接続確立完遂メッセージがシグナリング無線ベアラSRB1が運ぶRRCメッセージであることを第1のアンカーノードが第2の指示情報に従って認識するために使われる、ステップを含む。
【００５６】
第9の態様を参照し、第9の態様の第6の実装において、方法は、サービングノードにより、第1のアンカーノードへ第2の指示情報を送信するステップであって、第2の指示情報はRRC接続確立完遂メッセージがシグナリング無線ベアラSRB1が運ぶRRCメッセージであることを第1のアンカーノードが第2の指示情報に従って認識するために使われる、ステップをさらに含む。
【００５７】
第9の態様、または第9の態様の第1から第6の実装のいずれか1つを参照し、第9の態様の第7の実装において、方法は、サービングノードの無線リンク制御RLCレイヤーエンティティにより、第1のUEによって送信されRRC接続確立完遂メッセージを含むRRCメッセージを対応するパケットデータコンバージェンスプロトコル・プロトコルデータユニットPDCP PDUに加工するステップと、第1のアンカーノードへPDCP PDUを送信するステップであって、RRCメッセージはシグナリング無線ベアラSRB1が運ぶRRCメッセージまたはSRB2が運ぶRRCメッセージを含み、RRC接続確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる、ステップをさらに含む。
【００５８】
第9の態様、または第9の態様の第1から第7の実装のいずれか1つを参照し、第9の態様の第8の実装において、方法は、サービングノードにより、第1のアンカーノードによって送信されるRRCメッセージに対応するパケットデータコンバージェンスプロトコル・プロトコルデータユニットPDCP PDUを受信するステップであって、RRCメッセージはシグナリング無線ベアラSRB1が運ぶRRCメッセージまたはSRB2が運ぶRRCメッセージを含み、RRCメッセージは、サービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる、ステップをさらに含む。
【００５９】
第10の態様によると、RRC再接続方法が提供され、方法は、
第2のサービングノードにより、システムメッセージをブロードキャストするステップと、
第2のサービングノードにより、システムメッセージに従って第1のユーザー機器UEによって送信されるランダムアクセスメッセージを受信するステップと、
第1のUEへランダムアクセス応答メッセージを送信するステップと、
第2のサービングノードにより、第1のUEによって送信されるRRC接続再確立要求メッセージを受信するステップと、
第2のサービングノードにより、RRC接続再確立要求メッセージに従ってRRC接続再確立メッセージを生成するステップと、RRC接続再確立メッセージを第1のUEへ送信するステップと、
第2のサービングノードにより、第1のUEによって送信されるRRC接続再確立完遂メッセージを受信するステップと、
第1のアンカーノードが第1のUEへ至るRRC接続を再度確立できるようにするため、第2のサービングノードにより、RRC接続再確立完遂メッセージを第1のアンカーノードへ送信するステップとを含む。
【００６０】
第10の態様を参照し、第10の態様の第1の実装において、第1のUEへRRC接続再確立メッセージを送信するステップの前に、方法は、
第2のサービングノードにより、第1のアンカーノードがRRC接続を確立した第1のUEの第1のユーザー機器識別子UEIDと次ホップチェーンカウントNCCとを取得するステップをさらに含み、
第2のサービングノードにより、第1のUEによって送信されるRRC接続再確立要求メッセージを受信するステップは、第2のサービングノードにより、第1のUEによって送信されるRRC接続再確立要求メッセージを受信するステップであって、RRC接続再確立要求メッセージは第1のUEIDを含む、ステップを含み、
第2のサービングノードにより、RRC接続再確立要求メッセージに従ってRRC接続再確立メッセージを生成するステップと、第1のUEへRRC接続再確立メッセージを送信するステップは、第2のサービングノードにより、第1のUEIDに従ってNCCを取得するステップと、NCCを含むRRC接続再確立メッセージを生成するステップと、RRC接続再確立メッセージを第1のUEへ送信するステップとを含み、第1のUEはNCCに従って新たなキーを得る。
【００６１】
第10の態様の第1の実装を参照し、第10の態様の第2の実装において、第2のサービングノードにより、第1のアンカーノードがRRC接続を確立した第1のUEの第1のユーザー機器識別子UEIDと次ホップチェーンカウントNCCとを取得するステップは、
第1のアンカーノードが第1のUEへ至るRRC接続を確立した後に、第2のサービングノードにより、第1のアンカーノードがRRC接続を確立した第1のUEの第1のユーザー機器識別子UEIDと次ホップチェーンカウントNCCとを取得するステップを含み、あるいは
第2のサービングノードが第1のアンカーノードへ要求メッセージを送信した後に、第1のアンカーノードによって送信される、RRC接続が確立された第1のUEの第1のUEIDとNCCとを、受信するステップを含む。
【００６２】
第10の態様の第1の実装を参照し、第10の態様の第3の実装において、第2のサービングノードにより、第1のアンカーノードがRRC接続を確立した第1のUEの第1のユーザー機器識別子UEIDと次ホップチェーンカウントNCCとを取得するステップの後に、方法は、
第1のアンカーノードから第1のUEのRRC接続が切断された後に、第2のサービングノードにより、第1のアンカーノードによって送信されるシグナリングを受信するステップをさらに含み、第2のサービングノードはシグナリングに従って第1のUEのNCCを解除する。
【００６３】
第10の態様を参照し、第10の態様の第4の実装において、第1のUEへRRC接続再確立メッセージを送信するステップの前に、方法は、
第2のサービングノードにより、第1のアンカーノードが受け持つ隣接セルの識別子を取得するステップをさらに含み、
RRC接続再確立要求メッセージはソースセルの識別子を含み、第2のサービングノードは、ソースセルが第1のアンカーノードが受け持つ隣接セルであるか、あるいはソースセルが現在のセルであると認識し、第1のUEへ第4の指示情報を送信し、第4の指示情報は、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図するために使われる。
【００６４】
第10の態様を参照し、第10の態様の第5の実装において、第2のサービングノードにより、第1のUEによって送信されるRRC接続再確立完遂メッセージを受信するステップの前に、方法は、第2のサービングノードにより、第1のアンカーノードへRRC接続再確立メッセージと第1の指示情報とを送信するステップであって、第1の指示情報はRRC接続再確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される、をさらに含む。
【００６５】
第10の態様を参照し、第10の態様の第6の実装において、第2のサービングノードにより、第1のUEによって送信されるRRC接続再確立完遂メッセージを受信するステップの前に、方法は、第2のサービングノードにより、第1のアンカーノードへRRC接続再確立メッセージを送信するステップであって、RRC接続再確立メッセージは第1の指示情報を搬送し、あるいはRRC接続再確立メッセージを運ぶコントロールプレーンシグナリングメッセージが第1の指示情報を搬送し、第1の指示情報はRRC接続再確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される、ステップをさらに含む。
【００６６】
第10の態様を参照し、第10の態様の第7の実装において、第2のサービングノードにより、第1のUEによって送信されるRRC接続再確立完遂メッセージを受信するステップの前に、方法は、第1のアンカーノードへ第1のUEの設定パラメータを送信するステップをさらに含む。
【００６７】
第10の態様を参照し、第10の態様の第8の実装において、第2のサービングノードにより、第1のアンカーノードへRRC接続再確立完遂メッセージを送信するステップは、第2のサービングノードにより、RRC接続再確立完遂メッセージに第2の指示情報を加えることにより、あるいはRRC接続再確立完遂メッセージを運ぶコントロールプレーンシグナリングメッセージに第2の指示情報を加えることにより、第1のアンカーノードへ第2の指示情報を送信するステップであって、第2の指示情報はRRC接続再確立完遂メッセージがシグナリング無線ベアラSRB1が運ぶRRCメッセージであることを第1のアンカーノードが第2の指示情報に従って認識するために使われる、ステップを含む。
【００６８】
第10の態様を参照し、第10の態様の第9の実装において、方法は、サービングノードにより、第1のアンカーノードへ第2の指示情報を送信するステップであって、第2の指示情報はRRC接続再確立完遂メッセージがシグナリング無線ベアラSRB1が運ぶRRCメッセージであることを第1のアンカーノードが第2の指示情報に従って認識するために使われる、ステップをさらに含む。
【００６９】
第10の態様を参照し、第10の態様の第10の実装において、方法は、
第2のサービングノードの無線リンク制御RLCレイヤーエンティティにより、第1のUEによって送信されRRC接続再確立完遂メッセージを含むRRCメッセージを対応するパケットデータコンバージェンスプロトコル・プロトコルデータユニットPDCP PDUに加工するステップであって、RRCメッセージはSRB1が運ぶRRCメッセージまたはSRB2が運ぶRRCメッセージを含み、RRC接続再確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる、ステップをさらに含む。
【００７０】
第10の態様を参照し、第10の態様の第11の実装において、方法は、
第2のサービングノードにより、第1のアンカーノードによって送信されるRRCメッセージに対応するパケットデータコンバージェンスプロトコル・プロトコルデータユニットPDCP PDUを受信するステップであって、RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる、ステップをさらに含む。
【００７１】
第11の態様によると、RRC接続方法が提供され、方法は、
第1のアンカーノードにより、サービングノードによって送信されるRRC接続確立完遂メッセージを受信するステップと、
RRC接続確立完遂メッセージに従って第1のアンカーノードと第1のUEとの間にRRC接続を確立するステップとを含み、
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【００７２】
第11の態様を参照し、第11の態様の第1の実装において、方法は、
サービングノードが第1のUEによって送信されるRRC接続確立完遂メッセージを受信する前に、第1のアンカーノードにより、サービングノードによって送信される第1のUEの設定パラメータとUE識別子とを受信するステップをさらに含む。
【００７３】
第11の態様の第1の実装を参照し、第11の態様の第2の実装において、第1のアンカーノードにより、サービングノードによって送信される第1のUEの設定パラメータを受信するステップは、第1のアンカーノードにより、サービングノードによって送信されるRRC接続確立メッセージを受信するステップであって、RRC接続確立メッセージは第1のUEの設定パラメータを含む、ステップを含み、
RRC接続確立メッセージは第1の指示情報を搬送し、あるいはRRC接続確立メッセージを運ぶコントロールプレーンシグナリングメッセージが第1の指示情報を搬送し、方法は、第1のアンカーノードにより、RRC接続確立メッセージがシグナリング無線ベアラSRB0が運ぶRRCメッセージであることを第1の指示情報に従って認識するステップであって、RRCメッセージは第1のアンカーノードのRRCレイヤーエンティティを用いて処理される、ステップをさらに含む。
【００７４】
第11の態様の第1の実装を参照し、第11の態様の第3の実装において、第1のアンカーノードにより、サービングノードによって送信される第1のUEの設定パラメータを受信するステップは、第1のアンカーノードにより、サービングノードによって送信されるRRC接続確立メッセージを受信するステップであって、RRC接続確立メッセージは第1のUEの設定パラメータを含む、ステップを含み、
方法は、第1のアンカーノードにより、サービングノードによって送信される第1の指示情報を受信するステップと、第1のアンカーノードにより、RRC接続確立メッセージがシグナリング無線ベアラSRB0が運ぶRRCメッセージであることを第1の指示情報に従って認識するステップであって、RRCメッセージは第1のアンカーノードのRRCレイヤーエンティティを用いて処理される、ステップをさらに含む。
【００７５】
第11の態様を参照し、第11の態様の第4の実装において、サービングノードによって送信されるRRC接続確立完遂メッセージを受信するステップは、第1のアンカーノードにより、サービングノードによって送信されRRC接続確立完遂メッセージを運ぶコントロールプレーンシグナリングメッセージを受信するステップであって、RRC接続確立完遂メッセージは第2の指示情報を搬送し、あるいはコントロールプレーンシグナリングメッセージが第2の指示情報を搬送する、ステップと、第1のアンカーノードにより、RRC接続確立完遂メッセージがSRB1が運ぶRRCメッセージであることを第2の指示情報に従って認識するステップを含む。
【００７６】
第11の態様を参照し、第11の態様の第5の実装において、方法は、第1のアンカーノードにより、サービングノードによって送信される第2の指示情報を受信するステップと、第1のアンカーノードにより、RRC接続確立完遂メッセージがSRB1が運ぶRRCメッセージであることを第2の指示情報に従って認識するステップとを含む。
【００７７】
第11の態様を参照し、第11の態様の第6の実装において、方法は、サービングノードの無線リンク制御RLCレイヤーエンティティが第1のUEによって送信されRRC接続確立完遂メッセージを含むRRCメッセージをPDCP PDUに加工した後に送信される対応するパケットデータコンバージェンスプロトコル・プロトコルデータユニットPDCP PDUを、第1のアンカーノードにより、受信するステップであって、RRCメッセージはSRB1が運ぶRRCメッセージまたはSRB2が運ぶRRCメッセージを含み、RRC接続確立完遂メッセージはSRB1が運ぶRRCメッセージである、ステップと、第1のアンカーノードにある第1のPDCPレイヤーエンティティにより、SRB1が運ぶRRCメッセージを処理するステップと、処理したRRCメッセージをRRCレイヤーエンティティへ送信するステップと、あるいは第1のアンカーノードにある第2のPDCPレイヤーエンティティにより、SRB2が運ぶRRCメッセージを処理するステップと、処理したRRCメッセージをRRCレイヤーエンティティへ送信するステップとをさらに含む。
【００７８】
第11の態様、または第11の態様の第1から第6の実装のいずれか1つを参照し、第11の態様の第7の実装において、方法は、第1のアンカーノードにより、RRCメッセージに対応するパケットデータコンバージェンスプロトコル・プロトコルデータユニットPDCP PDUをサービングノードへ送信するステップであって、RRCメッセージはSRB1が運ぶRRCメッセージまたはSRB2が運ぶRRCメッセージを含み、RRCメッセージは、サービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる、ステップをさらに含む。
【００７９】
第12の態様によると、RRC再接続方法が提供され、方法は、
第1のアンカーノードにより、第2のサービングノードによって送信されるRRC接続再確立完遂メッセージを受信するステップと、
RRC接続再確立完遂メッセージに従って第1のアンカーノードと第1のUEとの間にRRC接続を再度確立するステップとを含み、
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【００８０】
第12の態様を参照し、第12の態様の第1の実装において、方法は、
第2のサービングノードが第1のUEへRRC接続再確立メッセージを送信する前に、第1のアンカーノードにより、第1のアンカーノードがRRC接続を確立した第1のUEの第1のユーザー機器識別子UEIDと次ホップチェーンカウントNCCとを第2のサービングノードへ送信するステップをさらに含み、
第2のサービングノードにより、第1のUEによって送信されるRRC接続再確立要求メッセージを受信するステップは、第2のサービングノードにより、第1のUEによって送信されるRRC接続再確立要求メッセージを受信するステップであって、RRC接続再確立要求メッセージは第1のUEIDを含む、ステップを含み、
第2のサービングノードにより、RRC接続再確立要求メッセージに従ってRRC接続再確立メッセージを生成するステップと、第1のUEへRRC接続再確立メッセージを送信するステップは、第2のサービングノードにより、第1のUEIDに従ってNCCを取得するステップと、NCCを含むRRC接続再確立メッセージを生成するステップと、第1のUEへRRC接続再確立メッセージを送信するステップとを含み、第1のUEはNCCに従って新たなキーを得る。
【００８１】
第12の態様の第1の実装を参照し、第12の態様の第2の実装において、第1のアンカーノードにより、第1のアンカーノードがRRC接続を確立した第1のUEの第1のユーザー機器識別子UEIDと次ホップホップチェーンカウントNCCとを第2のサービングノードへ送信するステップは、
第1のアンカーノードが第1のUEへ至るRRC接続を確立した後に、第1のアンカーノードにより、第1のアンカーノードがRRC接続を確立した第1のUEの第1のユーザー機器識別子UEIDと次ホップチェーンカウントNCCとを第2のサービングノードへ送信するステップを含み、あるいは
第1のアンカーノードが第2のサービングノードによって送信される要求メッセージを受信した後に、第1のアンカーノードがRRC接続を確立した第1のUEの第1のUEIDとNCCとを第2のサービングノードへ送信するステップを含む。
【００８２】
第12の態様の第1の実装を参照し、第12の態様の第3の実装において、第1のアンカーノードにより、第1のアンカーノードがRRC接続を確立した第1のUEの第1のユーザー機器識別子UEIDと次ホップチェーンカウントNCCとを第2のサービングノードへ送信するステップの後に、方法は、
第1のアンカーノードから第1のUEのRRC接続が切断された後に、第1のアンカーノードにより、第2のサービングノードへシグナリングを送信するステップであって、シグナリングは第2のサービングノードがシグナリングに従って第1のUEのNCCを解除するために使われる、ステップをさらに含む。
【００８３】
第12の態様を参照し、第12の態様の第4の実装において、第2のサービングノードにより、第1のUEへRRC接続再確立メッセージを送信するステップの前に、方法は、
第1のアンカーノードにより、第1のアンカーノードが受け持つ隣接セルの識別子を第2のサービングノードへ送信するステップをさらに含み、
RRC接続再確立要求メッセージはソースセルの識別子を含み、第2のサービングノードは、ソースセルが第1のアンカーノードが受け持つ隣接セルであるか、あるいはソースセルが現在のセルであると認識し、第1のUEへ第4の指示情報を送信することにより、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図する。
【００８４】
第12の態様を参照し、第12の態様の第5の実装において、第2のサービングノードにより、第1のUEによって送信されるRRC接続再確立完遂メッセージを受信するステップの前に、方法は、第1のアンカーノードにより、第2のサービングノードによって送信されるRRC接続再確立メッセージと第1の指示情報とを受信するステップと、第1のアンカーノードにより、RRC接続再確立メッセージがシグナリング無線ベアラSRB0が運ぶRRCメッセージであることを第1の指示情報に従って認識するステップであって、RRCメッセージは第1のアンカーノードのRRCレイヤーエンティティを用いて処理される、ステップをさらに含む。
【００８５】
第12の態様を参照し、第12の態様の第6の実装において、第2のサービングノードにより、第1のUEによって送信されるRRC接続再確立完遂メッセージを受信するステップの前に、方法は、第1のアンカーノードにより、第2のサービングノードによって送信されるRRC接続再確立メッセージを受信するステップであって、RRC接続再確立メッセージは第1の指示情報を搬送し、あるいはRRC接続再確立メッセージを運ぶコントロールプレーンシグナリングメッセージが第1の指示情報を搬送し、第1の指示情報はRRC接続再確立メッセージがシグナリング無線ベアラSRB0が運ぶRRCメッセージであることを第1のアンカーノードが第1の指示情報に従って認識するために使われ、RRCメッセージは第1のアンカーノードのRRCレイヤーエンティティを用いて処理される、ステップをさらに含む。
【００８６】
第12の態様を参照し、第12の態様の第7の実装において、第2のサービングノードにより、第1のUEによって送信されるRRC接続再確立完遂メッセージを受信するステップの前に、方法は、第1のアンカーノードにより、第2のサービングノードによって送信される第1のUEの設定パラメータを受信するステップをさらに含む。
【００８７】
第12の態様を参照し、第12の態様の第8の実装において、第1のアンカーノードにより、第2のサービングノードによって送信されるRRC接続再確立完遂メッセージを受信するステップは、第1のアンカーノードにより、第2のサービングノードによって送信されるRRC接続再確立完遂メッセージを受信するステップであって、RRC接続再確立完遂メッセージは第2の指示情報を搬送し、あるいはRRC接続再確立完遂メッセージを運ぶコントロールプレーンシグナリングメッセージが第2の指示情報を搬送する、ステップと、第1のアンカーノードにより、RRC接続再確立完遂メッセージがシグナリング無線ベアラSRB1が運ぶRRCメッセージであることを第2の指示情報に従って認識するステップを含む。
【００８８】
第12の態様を参照し、第12の態様の第9の実装において、方法は、第1のアンカーノードにより、第2のサービングノードによって送信される第2の指示情報を受信するステップと、第1のアンカーノードにより、RRC接続再確立完遂メッセージがシグナリング無線ベアラSRB1が運ぶRRCメッセージであることを第2の指示情報に従って認識するステップとをさらに含む。
【００８９】
第12の態様を参照し、第12の態様の第10の実装において、方法は、
第2のサービングノードの無線リンク制御RLCレイヤーエンティティが第1のUEによって送信されRRC接続再確立完遂メッセージを含むRRCメッセージをPDCP PDUに加工した後に、第1のアンカーノードへ送信される対応するパケットデータコンバージェンスプロトコル・プロトコルデータユニットPDCP PDUを、第1のアンカーノードにより、受信するステップであって、RRCメッセージはSRB1が運ぶRRCメッセージまたはSRB2が運ぶRRCメッセージを含み、RRC接続再確立完遂メッセージはSRB1が運ぶRRCメッセージである、ステップと、第1のアンカーノードにある第1のPDCPレイヤーエンティティにより、SRB1が運ぶRRCメッセージを処理するステップと、処理したRRCメッセージをRRCレイヤーエンティティへ送信するステップと、あるいは第1のアンカーノードにある第2のPDCPレイヤーエンティティにより、SRB2が運ぶRRCメッセージを処理するステップと、処理したRRCメッセージをRRCレイヤーエンティティへ送信するステップとをさらに含む。
【００９０】
第12の態様を参照し、第12の態様の第11の実装において、方法は、
第1のアンカーノードにより、RRCメッセージに対応するパケットデータコンバージェンスプロトコル・プロトコルデータユニットPDCP PDUを第2のサービングノードへ送信するステップであって、RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる、ステップをさらに含む。
【００９１】
本発明の実施形態で提供されるRRC接続方法では、最初にサービングノードがシステムメッセージをブロードキャストし、システムメッセージに従って第1のUEによって送信されるランダムアクセスメッセージを受信し、その後第1のUEへランダムアクセス応答メッセージを送信する。サービングノードは第1のUEによって送信されるRRC接続要求メッセージを受信する。サービングノードはRRC接続要求メッセージに従ってRRC接続確立メッセージを生成し、第1のUEへRRC接続確立メッセージを送信する。サービングノードは第1のUEによって送信されるRRC接続確立完遂メッセージを受信する。第1のアンカーノードと第1のUEとの間にRRC接続を確立するため、サービングノードは第1のアンカーノードへRRC接続確立完遂メッセージを送信する。以上から分かるように、本発明の実施形態では第1のアンカーノードと第1のUEとの間にRRC接続が確立される。したがって、UEのサービングノードが切り替えられるときにMMEと第1のアンカーノードとの接続は変わらない。MMEがページングメッセージを送信する必要があるときに、MMEはページングメッセージに対応するTAエリア内の全基地局へページングメッセージを送信せずにすむため、コアネットワークのシグナリング負荷は効果的に軽減される。
【図面の簡単な説明】
【００９２】
【図１】本発明の一実施形態によるネットワークアーキテクチャの概略図である。
【図２】本発明の実施形態1によるRRC接続装置の概略装置構造図である。
【図３】本発明の実施形態2によるRRC再接続装置の概略装置構造図である。
【図４】本発明の実施形態3によるRRC接続装置の概略装置構造図である。
【図５】本発明の実施形態4によるRRC再接続装置の概略装置構造図である。
【図６】本発明の実施形態5によるサービングノードの概略構造図である。
【図７】本発明の実施形態6によるサービングノードの概略構造図である
【図８】本発明の実施形態7によるアンカーノードの概略構造図である。
【図９】本発明の実施形態8によるアンカーノードの概略構造図である。
【図１０】本発明の実施形態9によるサービングノード側におけるRRC接続方法の流れ図である。
【図１１Ａ】本発明の実施形態10によるサービングノード側におけるRRC接続方法の流れ図である。
【図１１Ｂ】本発明の実施形態10によるサービングノード側におけるRRC接続方法の流れ図である。
【図１２】本発明の実施形態11によるサービングノード側におけるRRC再接続方法の流れ図である。
【図１３】本発明の実施形態12によるサービングノード側におけるRRC再接続方法の流れ図である。
【図１４】本発明の実施形態13によるサービングノード側におけるRRC再接続方法の流れ図である。
【図１５】本発明の実施形態14によるアンカーノード側におけるRRC接続方法の流れ図である。
【図１６】本発明の実施形態15によるアンカーノード側におけるRRC接続方法の流れ図である。
【図１７】本発明の実施形態16によるアンカーノード側におけるRRC再接続方法の流れ図である。
【図１８】本発明の実施形態17によるアンカーノード側におけるRRC再接続方法の流れ図である。
【図１９】本発明の実施形態18によるアンカーノード側におけるRRC再接続方法の流れ図である。
【発明を実施するための形態】
【００９３】
これ以降は添付の図面と実施形態を参照しながら本発明の技術的解決手段をさらに詳しく説明する。
【００９４】
本発明の実施形態の目的と技術的解決手段と利点とをより明確にするため、これ以降は本発明の実施形態の添付の図面を参照しながら本発明の実施形態の技術的解決手段を明瞭かつ完全に説明する。当然ながら、説明する実施形態は本発明の実施形態の全てではなく一部である。本発明の実施形態をもとに当業者が創造的な取り組みをせずに考案する他の実施形態はいずれも本発明の保護範囲内に入る。
【００９５】
本発明を十分に理解できるようにするため、これ以降は添付の図面を参照しながら本発明の実施形態をさらに詳しく説明する。前述した実施形態は本発明の保護範囲を限定するものではない。
【００９６】
図1は本発明の一実施形態によるネットワークアーキテクチャの概略図である。このネットワークアーキテクチャはモビリティマネジメントエンティティ（MME、Mobility Management Entity）101と、サービングゲートウェイ（SGW、Service Gateway）102と、アンカーノード（Anchor Node）103と、サービングノード（Serving Node）104と、ユーザー機器（UE、User Equipment）105とを含む。アンカーノード103は既存の基地局であってよく、あるいは新たに設置されるネットワーク要素であってもよい。サービングノード104はUE 105を受け持つ基地局である。先行技術との違いは、先行技術ではサービングノード104がMME 101へ至る接続を直接確立するのに対し、本発明ではサービングノード104とMME 101との間で接続が直接確立されないことである。代わりに、サービングノード104がアンカーノード103へ至る接続を確立し、アンカーノード103がMME 101へ至る接続を確立し、アンカーノード103を用いてサービングノード104とMME 101との接続確立を実現する。本発明の本実施形態では、コアネットワークのMME 101とSGW 102がアンカーノード103へ至るS1−CコントロールプレーンインターフェースとS1−Uユーザープレーンインターフェースとをそれぞれ確立する。インターフェースを確立するため、アンカーノード103とサービングノード104は信号トンネル（backhaul）を用いて接続される。インターフェースは、具体的には改良されたX2インターフェースであってよく、あるいは別種のインターフェースであってもよい。UE 105とサービングノード104との間には無線リンク接続が確立される。
【００９７】
本発明の実施形態でサービングノード104はRRCメッセージを単独で処理しない。代わりに、アンカーノード103とサービングノード104がRRCメッセージを合同で処理する。つまり、RRCメッセージの様々なタイプに応じて、アンカーノード103がいくつかのRRCメッセージを処理し、サービングノード104が残りのRRCメッセージを処理することにより、2ノード間のRRC機能の分離が実現する。具体的に述べると、アンカーノード103は、SRB1が運ぶRRCメッセージとSRB2が運ぶRRCメッセージとを処理するために使われるRRCプロトコルエンティティと、SRB1が運ぶRRCメッセージを処理するために使われる第1のパケットデータコンバージェンスプロトコル（PDCP、Packet Data Convergence Protocol）プロトコルエンティティと、SRB2が運ぶRRCメッセージを処理するために使われる第2のPDCPプロトコルエンティティとを含んでよく、アンカーノード103はUE 105のSRB1およびSRB2の機能を有する。つまり、UE 105のSRB1およびSRB2はアンカーノード103で終結する。サービングノード104のプロトコルスタックはUE 105のSRB1とSRB2とDRBとに対応するRLCプロトコルエンティティを含む。具体的に述べると、サービングノード104のRLCプロトコルエンティティはSRB1が運ぶRRCメッセージを処理するために使われる第1のRLCレイヤーエンティティと、SRB2が運ぶRRCメッセージを処理するために使われる第2のRLCレイヤーエンティティと、UE 105に対応するMACプロトコルエンティティおよびPHYプロトコルエンティティとを含む。サービングノード104のプロトコルスタックは、SRB0が運ぶRRCメッセージを処理するために使われるRRCプロトコルエンティティをさらに含んでよい。つまり、サービングノード104のRRCプロトコルエンティティはMIBやSIBやページングメッセージやMBMS制御情報といった一般的なRRCメッセージを生成し送信するために使われ、サービングノード104は、SRB0が運ぶRRCメッセージ、BCCHサービスを処理するためのシステムブロードキャストメッセージ、PCCHサービスのセルページングメッセージ、ならびにオプションCCCHサービスのUEのRRC接続確立プロセスやRRC接続再確立プロセスのRRC接続要求メッセージやRRC接続確立メッセージといったいくつかのRRCメッセージを、処理する機能を有する。
【００９８】
SRB1が運ぶRRCメッセージは、具体的には接続の確立が完遂されるときに存在するRRCメッセージであってよく、SRB2が運ぶRRCメッセージは、具体的には接続の確立が完遂された後に存在するRRCメッセージであってよい。
【００９９】
加えて、このネットワークアーキテクチャに対応するRRCメッセージ処理手順は以下に述べる3タイプを含んでよい。
【０１００】
第1のタイプのRRCメッセージ処理手順はUE専用ダウンリンクDL RRCメッセージを処理するプロセスである。DL RRCメッセージはSRB1が運ぶRRCメッセージとSRB2が運ぶRRCメッセージとを含む。具体的に述べると、アンカーノード103のRRCプロトコルエンティティはUEのSRB1が運ぶRRCメッセージかSRB2が運ぶRRCメッセージを生成し、RRCメッセージを処理のためSRB1かSRB2に対応するPDCPプロトコルエンティティに引き渡す。アンカーノードのPDCPプロトコルエンティティはPDCP PDUを形成する。RRCメッセージはアンカーノードとサービングノードとの間のインターフェースを用いてサービングノードへ送信される。RRCメッセージを受信したサービングノードは解析によりPDCP PDUを得る。その後、サービングノードのSRB1かSRB2に対応するRLCプロトコルエンティティがRRCメッセージを処理する。サービングノードのRLCプロトコルエンティティがRRCメッセージを処理した後は、サービングノードのMAC層とPHY層がRRCメッセージを処理し、処理したRRCメッセージをUEへ送信する。
【０１０１】
第2のタイプのRRCメッセージ処理手順はUE専用アップリンクUL RRCメッセージを処理するプロセスである。UL RRCメッセージはSRB1が運ぶRRCメッセージとSRB2が運ぶRRCメッセージとを含む。具体的に述べると、UEのSRB1が運ぶRRCメッセージかSRB2が運ぶRRCメッセージを受信したサービングノードは、RRCメッセージを処理のためSRB1かSRB2に対応するRLCプロトコルエンティティに引き渡す。サービングノードのRLCプロトコルエンティティはPDCP PDUを形成する。RRCメッセージはサービングノードとアンカーノードとの間のインターフェースを用いてアンカーノードへ送信される。RRCメッセージを受信したアンカーノードは解析によりPDCP PDUを得る。その後、アンカーノードのSRB1かSRB2に対応するPDCPプロトコルエンティティがRRCメッセージを処理する。PDCPプロトコルエンティティがRRCメッセージを処理した後は、処理されたRRCメッセージがRRCレイヤーエンティティへ送信される。
【０１０２】
第3のタイプのRRCメッセージ処理手順はUEの共通RRCメッセージを処理するプロセスである。共通RRCメッセージはSRB0が運ぶRRCメッセージを含む。共通RRCメッセージには複数のタイプがあり、例えばBCCHサービスのシステムブロードキャストメッセージ、PCCHサービスのセル共通DL RRCメッセージ（ページング、ブロードキャスト）、ならびにCCCHサービスの接続確立過程と接続再確立過程でSRB0が運ぶRRCメッセージがある。サービングノードはSRB0が運ぶRRCメッセージを処理する。
【０１０３】
図1に示されたネットワークアーキテクチャはサービングノード104を含むばかりでなく、アンカーノード103をも含む。アンカーノード103とサービングノード104はUE 105のRRCメッセージを合同で処理する。MME 101はサービングノード104へ至るS1インターフェース接続を確立しない。したがって、UE 105のサービングノードが切り替えられてもUEのRRC接続はアンカーノード103で保たれ、MME 101とアンカーノード103とのS1接続は変わらない。したがって、切り替えの過程によって切り替えシグナリングは生じない。加えて、MME 101がページングメッセージを送信する必要がある場合に、MME 101は、アンカーノード103へ、またはページングメッセージに対応するTAエリア内にあってMME 101へ至るS1インターフェース接続を有する全基地局へ、ページングメッセージを送信するだけでよい。MME 101はサービングノード104へ至るS1インターフェース接続を確立しない。したがって、MME 101はサービングノード104へページングメッセージを送信する必要がない。このため、サービングノード104の密な配備によるシグナリングの増加は起きず、コアネットワークのシグナリング負荷は効果的に軽減される。
【０１０４】
図2は本発明の実施形態1によるRRC接続装置の概略装置構造図である。装置はサービングノードに配設され、装置は送信ユニット201と、受信ユニット202と、メッセージ生成ユニット203とを含む。
【０１０５】
送信ユニット201はシステムメッセージをブロードキャストするよう構成される。
【０１０６】
受信ユニット202は送信ユニットによって送信されるシステムメッセージに従って第1のユーザー機器UEによって送信されるランダムアクセスメッセージを受信するよう構成される。
【０１０７】
送信ユニット201は受信ユニット202によって受信されるランダムアクセスメッセージに従ってランダムアクセス応答メッセージを第1のUEへ送信するようさらに構成される。
【０１０８】
受信ユニット202は送信ユニット201によって送信されるランダムアクセス応答メッセージに従って第1のUEによって送信されるRRC接続要求メッセージを受信するようさらに構成される。
【０１０９】
メッセージ生成ユニット203は受信ユニット202によって受信されるRRC接続要求メッセージに従ってRRC接続確立メッセージを生成するよう構成される。
【０１１０】
送信ユニット201はメッセージ生成ユニット203によって生成されるRRC接続確立メッセージを第1のUEへ送信するようさらに構成される。
【０１１１】
受信ユニット202は第1のUEによって送信されるRRC接続確立完遂メッセージを受信するようさらに構成される。
【０１１２】
送信ユニット201は、第1のアンカーノードが第1のUEへ至るRRC接続を確立できるようにするため、受信ユニット202によって受信されるRRC接続確立完遂メッセージを第1のアンカーノードへ送信するようさらに構成される。
【０１１３】
望ましくは、メッセージ生成ユニット203は選択サブユニットとメッセージ生成サブユニットとを含む。
【０１１４】
選択サブユニットは、少なくとも1つのUEによって送信されて受信ユニット202によって受信されるRRC接続要求メッセージに従って、第1のUEを含む少なくとも1つのUEから第1のUEを選択するよう構成される。
【０１１５】
メッセージ生成サブユニットは選択サブユニットによって選択される第1のUEのRRC接続要求メッセージに従って第1のUEのRRC接続確立メッセージを生成するよう構成される。
【０１１６】
望ましくは、送信ユニット201は、第1のUEによって送信されるRRC接続確立完遂メッセージを受信ユニット202が受信する前に、第1のUEの設定パラメータと第1のUEのUE識別子とを第1のアンカーノードへ送信するようさらに構成される。
【０１１７】
望ましくは、送信ユニット201は第1のアンカーノードへRRC接続確立メッセージを送信するよう具体的に構成される。RRC接続確立メッセージは第1のUEの設定パラメータを含む。
【０１１８】
RRC接続確立メッセージは第1の指示情報を搬送し、あるいはRRC接続確立メッセージを運ぶコントロールプレーンシグナリングメッセージが第1の指示情報を搬送する。第1の指示情報はRRC接続確立メッセージがシグナリング無線ベアラSRB0が運ぶRRCメッセージであることを第1のアンカーノードが第1の指示情報に従って認識するために使われる。RRCメッセージは第1のアンカーノードのRRCレイヤーエンティティを用いて処理される。
【０１１９】
望ましくは、送信ユニット201は第1のアンカーノードへRRC接続確立メッセージを送信するよう具体的に構成される。RRC接続確立メッセージは第1のUEの設定パラメータを含む。
【０１２０】
送信ユニット201は第1のアンカーノードへ第1の指示情報を送信するようさらに構成される。第1の指示情報はRRC接続確立メッセージがシグナリング無線ベアラSRB0が運ぶRRCメッセージであることを第1のアンカーノードが第1の指示情報に従って認識するために使われる。RRCメッセージは第1のアンカーノードのRRCレイヤーエンティティを用いて処理される。
【０１２１】
望ましくは、送信ユニット201は、RRC接続確立完遂メッセージに第2の指示情報を加えることにより、あるいはRRC接続確立完遂メッセージを運ぶコントロールプレーンシグナリングメッセージに第2の指示情報を加えることにより、第1のアンカーノードへ第2の指示情報を送信するよう具体的に構成される。第2の指示情報はRRC接続確立完遂メッセージがシグナリング無線ベアラSRB1が運ぶRRCメッセージであることを第1のアンカーノードが第2の指示情報に従って認識するために使われる。
【０１２２】
望ましくは、送信ユニット201は第1のアンカーノードへ第2の指示情報を送信するようさらに構成される。第2の指示情報はRRC接続確立完遂メッセージがシグナリング無線ベアラSRB1が運ぶRRCメッセージであることを第1のアンカーノードが第2の指示情報に従って認識するために使われる。
【０１２３】
望ましくは、装置はパケットデータ処理ユニット204をさらに含む。
【０１２４】
パケットデータ処理ユニット204は、第1のUEによって送信されRRC接続確立完遂メッセージを含むRRCメッセージを、無線リンク制御RLCレイヤーエンティティを用いて対応するパケットデータコンバージェンスプロトコル・プロトコルデータユニットPDCP PDUに加工し、第1のアンカーノードへPDCP PDUを送信するよう構成される。RRCメッセージはシグナリング無線ベアラSRB1が運ぶRRCメッセージまたはSRB2が運ぶRRCメッセージを含み、RRC接続確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【０１２５】
望ましくは、受信ユニット202は第1のアンカーノードによって送信されるRRCメッセージに対応するパケットデータコンバージェンスプロトコル・プロトコルデータユニットPDCP PDUを受信するよう具体的に構成される。RRCメッセージはシグナリング無線ベアラSRB1が運ぶRRCメッセージまたはSRB2が運ぶRRCメッセージを含み、RRCメッセージは、サービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０１２６】
図3は本発明の実施形態2によるRRC再接続装置の概略装置構造図である。装置はサービングノードに配設され、装置は送信ユニット301と、受信ユニット302と、メッセージ生成ユニット303とを含む。
【０１２７】
送信ユニット301はシステムメッセージをブロードキャストするよう構成される。
【０１２８】
受信ユニット302は送信ユニット301によって送信されるシステムメッセージに従って第1のユーザー機器UEによって送信されるランダムアクセスメッセージを受信するよう構成される。
【０１２９】
送信ユニット301は受信ユニット302によって受信されるランダムアクセスメッセージに従ってランダムアクセス応答メッセージを第1のUEへ送信するようさらに構成される。
【０１３０】
受信ユニット302は送信ユニット301によって送信されるランダムアクセス応答メッセージに従って第1のUEによって送信されるRRC接続再確立要求メッセージを受信するようさらに構成される。
【０１３１】
メッセージ生成ユニット303は受信ユニット302によって受信されるRRC接続再確立要求メッセージに従ってRRC接続再確立メッセージを生成するよう構成される。
【０１３２】
送信ユニット301はメッセージ生成ユニット303によって生成されるRRC接続再確立メッセージを第1のUEへ送信するようさらに構成される。
【０１３３】
受信ユニット302は送信ユニット301によって送信されるRRC接続再確立メッセージに従って第1のUEによって送信されるRRC接続再確立完遂メッセージを受信するようさらに構成される。
【０１３４】
送信ユニット301は、第1のアンカーノードが第1のUEへ至るRRC接続を再度確立できるようにするため、受信ユニット302によって受信されるRRC接続再確立完遂メッセージを第1のアンカーノードへ送信するようさらに構成される。
【０１３５】
望ましくは、装置は第1の取得ユニット304をさらに含む。
【０１３６】
第1の取得ユニット304は、送信ユニット301が第1のUEへRRC接続再確立メッセージを送信する前に、第1のアンカーノードがRRC接続を確立した第1のUEの第1のユーザー機器識別子UEIDと次ホップチェーンカウントNCCとを取得するよう構成される。
【０１３７】
受信ユニット302は第1のUEによって送信されるRRC接続再確立要求メッセージを受信するよう具体的に構成される。RRC接続再確立要求メッセージは第1のUEIDを含む。
【０１３８】
メッセージ生成ユニット303は、受信ユニット302によって受信される第1のUEIDに従って、第1の取得ユニット304によって取得されるNCCを取得し、NCCを含むRRC接続再確立メッセージを生成するよう具体的に構成される。
【０１３９】
送信ユニット301はメッセージ生成ユニット303によって生成されるRRC接続再確立メッセージを第1のUEへ送信するよう具体的に構成され、第1のUEはNCCに従って新たなキーを得る。
【０１４０】
望ましくは、第1の取得ユニット304は、
第1のアンカーノードが第1のUEへ至るRRC接続を確立した後に、第1のアンカーノードがRRC接続を確立した第1のUEの第1のユーザー機器識別子UEIDと次ホップチェーンカウントNCCとを取得するよう具体的に構成され、あるいは
第1のアンカーノードへ要求メッセージが送信された後に、第1のアンカーノードによって送信される、RRC接続が確立された第1のUEの第1のUEIDとNCCとを、受信するよう具体的に構成される。
【０１４１】
望ましくは、装置はシグナリング受信ユニット305と解除ユニット306とをさらに含む。
【０１４２】
シグナリング受信ユニット305は、第1のアンカーノードがRRC接続を確立した第1のUEの第1のユーザー機器識別子UEIDと次ホップチェーンカウントNCCとを第1の取得ユニット304が取得した後に、第1のアンカーノードから第1のUEのRRC接続が切断された後に、第1のアンカーノードによって送信されるシグナリングを受信するよう構成される。
【０１４３】
解除ユニット306はシグナリング受信ユニット305によって受信されるシグナリングに従って第1のUEのNCCを解除するよう構成される。
【０１４４】
望ましくは、装置は第2の取得ユニット307をさらに含む。
【０１４５】
第2の取得ユニット307は、送信ユニット301が第1のUEへRRC接続再確立メッセージを送信する前に、第1のアンカーノードが受け持つ隣接セルの識別子を取得するよう構成される。
【０１４６】
送信ユニット301は、受信ユニット302によって受信されるRRC接続再確立要求メッセージに含まれるソースセルの識別子に従って、ソースセルが第1のアンカーノードが受け持つ隣接セルであるか、あるいはソースセルが現在のセルであると認識される場合に、第1のUEへ第4の指示情報を送信するようさらに構成される。第4の指示情報は、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図するために使われる。
【０１４７】
望ましくは、送信ユニット301は、受信ユニット302が第1のUEによって送信されるRRC接続再確立完遂メッセージを受信する前に、第1のアンカーノードへRRC接続再確立メッセージと第1の指示情報とを送信するようさらに構成される。第1の指示情報はRRC接続再確立メッセージがシグナリング無線ベアラSRB0が運ぶRRCメッセージであることを第1のアンカーノードが第1の指示情報に従って認識するために使われる。RRCメッセージは第1のアンカーノードのRRCレイヤーエンティティを用いて処理される。
【０１４８】
望ましくは、送信ユニット301は、受信ユニット302が第1のUEによって送信されるRRC接続再確立完遂メッセージを受信する前に、第1のアンカーノードへRRC接続再確立メッセージを送信するようさらに構成される。RRC接続再確立メッセージは第1の指示情報を搬送し、あるいはRRC接続再確立メッセージを運ぶコントロールプレーンシグナリングメッセージが第1の指示情報を搬送する。第1の指示情報はRRC接続再確立メッセージがシグナリング無線ベアラSRB0が運ぶRRCメッセージであることを第1のアンカーノードが第1の指示情報に従って認識するために使われる。RRCメッセージは第1のアンカーノードのRRCレイヤーエンティティを用いて処理される。
【０１４９】
望ましくは、送信ユニット301は、受信ユニット302が第1のUEによって送信されるRRC接続再確立完遂メッセージを受信する前に、第1のアンカーノードへ第1のUEの設定パラメータを送信するようさらに構成される。
【０１５０】
望ましくは、送信ユニット301は、RRC接続再確立完遂メッセージに第2の指示情報を加えることにより、あるいはRRC接続再確立完遂メッセージを運ぶコントロールプレーンシグナリングメッセージに第2の指示情報を加えることにより、第1のアンカーノードへ第2の指示情報を送信するよう具体的に構成される。第2の指示情報はRRC接続再確立完遂メッセージがシグナリング無線ベアラSRB1が運ぶRRCメッセージであることを第1のアンカーノードが第2の指示情報に従って認識するために使われる。
【０１５１】
望ましくは、送信ユニット301は第1のアンカーノードへ第2の指示情報を送信するようさらに構成される。第2の指示情報はRRC接続再確立完遂メッセージがシグナリング無線ベアラSRB1が運ぶRRCメッセージであることを第1のアンカーノードが第2の指示情報に従って認識するために使われる。
【０１５２】
望ましくは、装置はパケットデータ処理ユニット308をさらに含む。
【０１５３】
パケットデータ処理ユニット308は、第1のUEによって送信されRRC接続再確立完遂メッセージを含むRRCメッセージを、無線リンク制御RLCレイヤーエンティティを用いて対応するパケットデータコンバージェンスプロトコル・プロトコルデータユニットPDCP PDUに加工するよう構成される。RRCメッセージはSRB1が運ぶRRCメッセージまたはSRB2が運ぶRRCメッセージを含み、RRC接続再確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【０１５４】
望ましくは、受信ユニット302は第1のアンカーノードによって送信されるRRCメッセージに対応するパケットデータコンバージェンスプロトコル・プロトコルデータユニットPDCP PDUを受信するよう具体的に構成される。RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【０１５５】
図4は本発明の実施形態3によるRRC接続装置の概略装置構造図である。装置はアンカーノードに配設され、装置は受信ユニット401と接続確立ユニット402とを含む。
【０１５６】
受信ユニット401はサービングノードによって送信されるRRC接続確立完遂メッセージを受信するよう構成される。
【０１５７】
接続確立ユニット402は受信ユニット401によって受信されるRRC接続確立完遂メッセージに従って第1のアンカーノードと第1のUEとの間にRRC接続を確立するよう構成される。
【０１５８】
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【０１５９】
望ましくは、受信ユニット401は、サービングノードが第1のUEによって送信されるRRC接続確立完遂メッセージを受信する前に、サービングノードによって送信される第1のUEの設定パラメータとUE識別子とを受信するようさらに構成される。
【０１６０】
望ましくは、受信ユニット401はサービングノードによって送信されるRRC接続確立メッセージを受信するよう具体的に構成される。RRC接続確立メッセージは第1のUEの設定パラメータを含む。
【０１６１】
RRC接続確立メッセージは第1の指示情報を搬送し、あるいはRRC接続確立メッセージを運ぶコントロールプレーンシグナリングメッセージが第1の指示情報を搬送する。装置は認識ユニット403をさらに含む。
【０１６２】
認識ユニット403はRRC接続確立メッセージがシグナリング無線ベアラSRB0が運ぶRRCメッセージであることを第1の指示情報に従って認識するよう構成される。RRCメッセージは第1のアンカーノードのRRCレイヤーエンティティを用いて処理される。
【０１６３】
望ましくは、受信ユニット401はサービングノードによって送信されるRRC接続確立メッセージを受信するよう具体的に構成される。RRC接続確立メッセージは第1のUEの設定パラメータを含む。
【０１６４】
受信ユニット401はサービングノードによって送信される第1の指示情報を受信するようさらに構成される。
【０１６５】
装置は認識ユニット403をさらに含む。
【０１６６】
認識ユニット403はRRC接続確立メッセージがシグナリング無線ベアラSRB0が運ぶRRCメッセージであることを第1の指示情報に従って認識するよう構成される。RRCメッセージは第1のアンカーノードのRRCレイヤーエンティティを用いて処理される。
【０１６７】
望ましくは、受信ユニット401はサービングノードによって送信されRRC接続確立完遂メッセージを運ぶコントロールプレーンシグナリングメッセージを受信するよう具体的に構成される。RRC接続確立完遂メッセージは第2の指示情報を搬送し、あるいはコントロールプレーンシグナリングメッセージが第2の指示情報を搬送する。装置は認識ユニット403をさらに含む。
【０１６８】
認識ユニット403はRRC接続確立完遂メッセージがSRB1が運ぶRRCメッセージであることを第2の指示情報に従って認識するよう構成される。
【０１６９】
望ましくは、受信ユニット401はサービングノードによって送信される第2の指示情報を受信するようさらに構成される。装置は認識ユニット403をさらに含む。
【０１７０】
認識ユニット403はRRC接続確立完遂メッセージがSRB1が運ぶRRCメッセージであることを第2の指示情報に従って認識するよう構成される。
【０１７１】
望ましくは、受信ユニット401は、サービングノードの無線リンク制御RLCレイヤーエンティティが第1のUEによって送信されRRC接続確立完遂メッセージを含むRRCメッセージをPDCP PDUに加工した後に送信される対応するパケットデータコンバージェンスプロトコル・プロトコルデータユニットPDCP PDUを受信するよう具体的に構成される。RRCメッセージはSRB1が運ぶRRCメッセージまたはSRB2が運ぶRRCメッセージを含み、RRC接続確立完遂メッセージはSRB1が運ぶRRCメッセージである。装置は第1のパケットデータ処理ユニット404と第2のパケットデータ処理ユニット405とをさらに含む。
【０１７２】
第1のパケットデータ処理ユニット404はSRB1が運ぶRRCメッセージを第1のPDCPレイヤーエンティティを使って処理し、処理したRRCメッセージをRRCレイヤーエンティティへ送信するよう構成される。
【０１７３】
第2のパケットデータ処理ユニット405はSRB2が運ぶRRCメッセージを第2のPDCPレイヤーエンティティを使って処理し、処理したRRCメッセージをRRCレイヤーエンティティへ送信するよう構成される。
【０１７４】
望ましくは、装置は送信ユニット406をさらに含む。
【０１７５】
送信ユニット406はRRCメッセージに対応するパケットデータコンバージェンスプロトコル・プロトコルデータユニットPDCP PDUをサービングノードへ送信するよう構成される。RRCメッセージはSRB1が運ぶRRCメッセージまたはSRB2が運ぶRRCメッセージを含み、RRCメッセージは、サービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０１７６】
図5は本発明の実施形態4によるRRC再接続装置の概略装置構造図である。装置はアンカーノードに配設され、装置は受信ユニット501と接続再確立ユニット502とを含む。
【０１７７】
受信ユニット501は第2のサービングノードによって送信されるRRC接続再確立完遂メッセージを受信するよう構成される。
【０１７８】
接続再確立ユニット502は受信ユニット501によって受信されるRRC接続再確立完遂メッセージに従って第1のアンカーノードと第1のUEとの間にRRC接続を再度確立するよう構成される。
【０１７９】
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【０１８０】
望ましくは、装置は第1の送信ユニット503をさらに含む。
【０１８１】
第1の送信ユニット503は、第2のサービングノードが第1のUEへRRC接続再確立メッセージを送信する前に、第1のアンカーノードがRRC接続を確立した第1のUEの第1のユーザー機器識別子UEIDと次ホップチェーンカウントNCCとを第2のサービングノードへ送信するよう構成される。
【０１８２】
受信ユニット501は第1のUEによって送信されるRRC接続再確立要求メッセージを受信するよう具体的に構成される。RRC接続再確立要求メッセージは第1のUEIDを含む。
【０１８３】
第2のサービングノードがRRC接続再確立要求メッセージに従ってRRC接続再確立メッセージを生成し、第1のUEへRRC接続再確立メッセージを送信することは、第2のサービングノードにより、第1のUEIDに従ってNCCを取得することと、NCCを含むRRC接続再確立メッセージを生成することと、第1のUEへRRC接続再確立メッセージを送信することとを含み、第1のUEはNCCに従って新たなキーを得る。
【０１８４】
望ましくは、第1の送信ユニット503は、
第1のアンカーノードが第1のUEへ至るRRC接続を確立した後に、第1のアンカーノードがRRC接続を確立した第1のUEの第1のユーザー機器識別子UEIDと次ホップチェーンカウントNCCとを第2のサービングノードへ送信するよう具体的に構成され、あるいは
第1のアンカーノードが第2のサービングノードによって送信される要求メッセージを受信した後に、第1のアンカーノードがRRC接続を確立した第1のUEの第1のUEIDとNCCとを第2のサービングノードへ送信するよう具体的に構成される。
【０１８５】
望ましくは、装置はシグナリング送信ユニット504をさらに含む。
【０１８６】
シグナリング送信ユニット504は、第1のアンカーノードがRRC接続を確立した第1のUEの第1のユーザー機器識別子UEIDと次ホップチェーンカウントNCCとを第1の送信ユニット503が第2のサービングノードへ送信した後に、第1のアンカーノードから第1のUEのRRC接続が切断された後に、第2のサービングノードへシグナリングを送信するよう構成される。このシグナリングは第2のサービングノードがシグナリングに従って第1のUEのNCCを解除するために使われる。
【０１８７】
望ましくは、装置は第2の送信ユニット505をさらに含む。
【０１８８】
第2の送信ユニット505は、第2のサービングノードが第1のUEへRRC接続再確立メッセージを送信する前に、第1のアンカーノードが受け持つ隣接セルの識別子を第2のサービングノードへ送信するよう構成される。
【０１８９】
RRC接続再確立要求メッセージはソースセルの識別子を含み、第2のサービングノードは、ソースセルが第1のアンカーノードが受け持つ隣接セルであるか、あるいはソースセルが現在のセルであると認識し、第1のUEへ第4の指示情報を送信することにより、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図する。
【０１９０】
望ましくは、受信ユニット501は、第2のサービングノードが第1のUEによって送信されるRRC接続再確立完遂メッセージを受信する前に、第2のサービングノードによって送信されるRRC接続再確立メッセージと第1の指示情報とを受信するようさらに構成される。装置は認識ユニット506をさらに含む。
【０１９１】
認識ユニット506は、RRC接続再確立メッセージがシグナリング無線ベアラSRB0が運ぶRRCメッセージであることを第1の指示情報に従って認識するよう構成される。RRCメッセージは第1のアンカーノードのRRCレイヤーエンティティを用いて処理される。
【０１９２】
望ましくは、受信ユニット501は、第2のサービングノードが第1のUEによって送信されるRRC接続再確立完遂メッセージを受信する前に、第2のサービングノードによって送信されるRRC接続再確立メッセージを受信するようさらに構成される。RRC接続再確立メッセージは第1の指示情報を搬送し、あるいはRRC接続再確立メッセージを運ぶコントロールプレーンシグナリングメッセージが第1の指示情報を搬送する。装置は認識ユニット506をさらに含む。
【０１９３】
認識ユニット506はRRC接続再確立メッセージがシグナリング無線ベアラSRB0が運ぶRRCメッセージであることを第1の指示情報に従って認識するよう構成される。RRCメッセージは第1のアンカーノードのRRCレイヤーエンティティを用いて処理される。
【０１９４】
望ましくは、受信ユニット501は、第2のサービングノードが第1のUEによって送信されるRRC接続再確立完遂メッセージを受信する前に、第2のサービングノードによって送信される第1のUEの設定パラメータを受信するようさらに構成される。
【０１９５】
望ましくは、受信ユニット501は第2のサービングノードによって送信されるRRC接続再確立完遂メッセージを受信するよう具体的に構成される。RRC接続再確立完遂メッセージは第2の指示情報を搬送し、あるいはRRC接続再確立完遂メッセージを運ぶコントロールプレーンシグナリングメッセージが第2の指示情報を搬送する。装置は認識ユニット506をさらに含む。
【０１９６】
認識ユニット506はRRC接続再確立完遂メッセージがシグナリング無線ベアラSRB1が運ぶRRCメッセージであることを第2の指示情報に従って認識するよう構成される。
【０１９７】
望ましくは、受信ユニット501は第2のサービングノードによって送信される第2の指示情報を受信するようさらに構成される。装置は認識ユニット506をさらに含む。
【０１９８】
認識ユニット506はRRC接続再確立完遂メッセージがシグナリング無線ベアラSRB1が運ぶRRCメッセージであることを第2の指示情報に従って認識するよう構成される。
【０１９９】
望ましくは、受信ユニット501は、第2のサービングノードの無線リンク制御RLCレイヤーエンティティが第1のUEによって送信されRRC接続再確立完遂メッセージを含むRRCメッセージをPDCP PDUに加工した後に、第1のアンカーノードへ送信される対応するパケットデータコンバージェンスプロトコル・プロトコルデータユニットPDCP PDUを受信するよう具体的に構成される。RRCメッセージはSRB1が運ぶRRCメッセージまたはSRB2が運ぶRRCメッセージを含み、RRC接続再確立完遂メッセージはSRB1が運ぶRRCメッセージである。装置は第1のパケットデータ処理ユニット507と第2のパケットデータ処理ユニット508とをさらに含む。
【０２００】
第1のパケットデータ処理ユニット507はSRB1が運ぶRRCメッセージを第1のアンカーノードにある第1のPDCPレイヤーエンティティを使って処理し、処理したRRCメッセージをRRCレイヤーエンティティへ送信するよう構成される。
【０２０１】
第2のパケットデータ処理ユニット508はSRB2が運ぶRRCメッセージを第1のアンカーノードにある第2のPDCPレイヤーエンティティを使って処理し、処理したRRCメッセージをRRCレイヤーエンティティへ送信するよう構成される。
【０２０２】
望ましくは、装置は第3の送信ユニット509をさらに含む。
【０２０３】
第3の送信ユニット509はRRCメッセージに対応するパケットデータコンバージェンスプロトコル・プロトコルデータユニットPDCP PDUを第2のサービングノードへ送信するよう構成される。RRCメッセージはSRB1が運ぶRRCメッセージまたはSRB2が運ぶRRCメッセージを含み、RRCメッセージは、第2のサービングノードの第1の無線リンク制御RLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【０２０４】
図6は本発明の実施形態5によるサービングノードの概略構造図である。サービングノードは、
送信器601と、
受信器602と、
処理器603とを含む。
【０２０５】
送信器601はシステムメッセージをブロードキャストするよう構成される。
【０２０６】
受信器602はシステムメッセージに従って第1のユーザー機器UEによって送信されるランダムアクセスメッセージを受信するよう構成される。
【０２０７】
送信器601は第1のUEへランダムアクセス応答メッセージを送信するようさらに構成される。
【０２０８】
受信器602は第1のUEによって送信されるRRC接続要求メッセージを受信するようさらに構成される。
【０２０９】
処理器603は受信器602によって受信されるRRC接続要求メッセージに従ってRRC接続確立メッセージを生成するよう構成される。
【０２１０】
送信器601は処理器603によって生成されるRRC接続確立メッセージを第1のUEへ送信するようさらに構成される。
【０２１１】
受信器602は第1のUEによって送信されるRRC接続確立完遂メッセージを受信するようさらに構成される。
【０２１２】
送信器601は、第1のアンカーノードが第1のUEへ至るRRC接続を確立できるようにするため、RRC接続確立完遂メッセージを第1のアンカーノードへ送信するようさらに構成される。
【０２１３】
図7は本発明の実施形態6によるサービングノードの概略構造図である。サービングノードは、
送信器701と、
受信器702と、
処理器703とを含む。
【０２１４】
送信器701はシステムメッセージをブロードキャストするよう構成される。
【０２１５】
受信器702はシステムメッセージに従って第1のユーザー機器UEによって送信されるランダムアクセスメッセージを受信するよう構成される。
【０２１６】
送信器701は第1のUEへランダムアクセス応答メッセージを送信するようさらに構成される。
【０２１７】
受信器702は第1のUEによって送信されるRRC接続再確立要求メッセージを受信するようさらに構成される。
【０２１８】
処理器703は受信器702によって受信されるRRC接続再確立要求メッセージに従ってRRC接続再確立メッセージを生成するよう構成される。
【０２１９】
送信器701は処理器703によって生成されるRRC接続再確立メッセージを第1のUEへ送信するようさらに構成される。
【０２２０】
受信器702は第1のUEによって送信されるRRC接続再確立完遂メッセージを受信するようさらに構成される。
【０２２１】
送信器701は、第1のアンカーノードが第1のUEへ至るRRC接続を再度確立できるようにするため、RRC接続再確立完遂メッセージを第1のアンカーノードへ送信するようさらに構成される。
【０２２２】
図8は本発明の実施形態7によるアンカーノードの概略構造図である。アンカーノードは、
受信器801と、
処理器802とを含む。
【０２２３】
受信器801はサービングノードによって送信されるRRC接続確立完遂メッセージを受信するよう構成される。
【０２２４】
処理器802は受信器801によって受信されるRRC接続確立完遂メッセージに従ってアンカーノードと第1のUEとの間にRRC接続を確立するよう構成される。
【０２２５】
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【０２２６】
図9は本発明の実施形態8によるアンカーノードの概略構造図である。アンカーノードは、
受信器901と、
処理器902とを含む。
【０２２７】
受信器901は第2のサービングノードによって送信されるRRC接続再確立完遂メッセージを受信するよう構成される。
【０２２８】
処理器902は受信器901によって受信されるRRC接続再確立完遂メッセージに従ってアンカーノードと第1のUEとの間にRRC接続を再度確立するよう構成される。
【０２２９】
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【０２３０】
図10は本発明の実施形態9によるサービングノード側におけるRRC接続方法の流れ図である。このRRC接続方法は図1に示されたネットワークアーキテクチャに基づいている。方法はサービングノードによって遂行される。図10に見られるように、方法は下記ステップを具体的に含む。
【０２３１】
ステップ1001：サービングノードはシステムメッセージをブロードキャストする。
【０２３２】
システムメッセージは、具体的にはRRC層のシステムメッセージである。サービングノードは、サービングノードの通信範囲内にあってサービングノードへ至る無線接続を確立した全てのUEへシステムメッセージをブロードキャストしてよく、あるいは所定の方針に従ってサービングノードへ至る無線接続を確立したUEから複数のUEを選択し、選択した複数のUEへシステムメッセージをブロードキャストしてもよい。
【０２３３】
ステップ1002：サービングノードはシステムメッセージに従って第1のUEによって送信されるランダムアクセスメッセージを受信する。
【０２３４】
本発明の本実施形態でシステムメッセージはアクセスパラメータを搬送してよい。第1のUEは受信したシステムメッセージで搬送されたアクセスパラメータに従ってランダムアクセスメッセージをサービングノードへ送信してよい。
【０２３５】
ステップ1003：第1のUEへランダムアクセス応答メッセージを送信する。
【０２３６】
サービングノードは第1のUEによって送信されるランダムアクセスメッセージを受信した後に、第1のUEへランダムアクセス応答メッセージを送信してよい。
【０２３７】
ランダムアクセス応答メッセージは第1のUEに割り当てられたセル無線ネットワーク仮識別子（CRNTI、Cell Radio Network Temmporary Identifier）を含んでよい。
【０２３８】
ステップ1004：サービングノードは第1のUEによって送信されるRRC接続要求メッセージを受信する。
【０２３９】
RRC接続要求メッセージはSRB0が運ぶRRCメッセージである。本発明の本実施形態でサービングノードはSRB0が運ぶRRCメッセージを処理する機能を有する。RRC接続要求メッセージを受信したサービングノードは、RRC接続要求メッセージを処理のためRRCレイヤーエンティティへ直接引き渡す。
【０２４０】
ステップ1005：サービングノードはRRC接続要求メッセージに従ってRRC接続確立メッセージを生成し、第1のUEへRRC接続確立メッセージを送信する。
【０２４１】
本発明の本実施形態において、サービングノードにより、RRC接続要求メッセージに従ってRRC接続確立メッセージを生成するステップは、サービングノードにより、少なくとも1つのUEによって送信される受信RRC接続要求メッセージに従って第1のUEを含む少なくとも1つのUEから第1のUEを選択するステップと、第1のUEのRRC接続要求メッセージに従って第1のUEのRRC接続確立メッセージを生成するステップとを具体的に含んでよい。
【０２４２】
加えて、UEの以降の設定パラメータはSRB1を使って引き渡す必要があり、SRB1はアンカーノードにある。したがって、アンカーノードはUEの設定パラメータを知る必要がある。方法は、第1のUEの設定パラメータと第1のUEのUE識別子とを第1のアンカーノードへ送信するステップをさらに含んでよく、これにより第1のアンカーノードは第1のUEの設定パラメータを知る。また、第1のアンカーノードはさらに、第1のUEの設定パラメータに従って、第1のUEが新たに接続されたUEであると認識し、第1のUEのUEコンテクスト（context）を作ってよい。UE contextは、具体的には無線ベアラ設定情報を含んでよい。UE識別子は、具体的にはサービングノードによってUEに割り当てられるセル無線ネットワーク仮識別子CRNTIであってよい。サービングノードはランダムアクセス応答メッセージを使ってCRNTIをUEに引き渡してよい。
【０２４３】
本発明の本実施形態でサービングノードは第1のアンカーノードへRRC接続確立メッセージを送信してよい。RRC接続確立メッセージは第1のUEの設定パラメータを搬送するため、第1のアンカーノードは第1のUEの設定パラメータを得ることができる。あるいは、第1のアンカーノードへRRC接続確立メッセージを送信する代わりに、サービングノードは専用メッセージを使って第1のUEの設定パラメータを第1のアンカーノードへ送信してもよい。あるいは、第1のUEの設定パラメータは第1のアンカーノードへ送信されず、第1のアンカーノードが第1のUEの設定パラメータを必要としていると判断される場合に限って設定パラメータが送信され、例えば第1のアンカーノードが第1のUEのためにRRCメッセージを生成する必要がある場合に、あるいは第1のアンカーノードが第1のUEのL1／L2設定を取得する必要がある場合に、設定パラメータが送信される。
【０２４４】
RRC接続確立メッセージは第1の指示情報を搬送してよく、あるいはRRC接続確立メッセージを運ぶコントロールプレーンシグナリングメッセージが第1の指示情報を搬送する。第1の指示情報はRRC接続確立メッセージがシグナリング無線ベアラSRB0が運ぶRRCメッセージであることを第1のアンカーノードが第1の指示情報に従って認識するために使われる。RRCメッセージは第1のアンカーノードのRRCレイヤーエンティティを用いて処理される。
【０２４５】
第1のUEの設定パラメータはMAC層設定パラメータと物理層設定パラメータとを含んでよく、例えばSRB−ToAddModList（OK？）パラメータ、mac−MainConfig（OK）パラメータ、PhysicalConfigDedicated（OK）パラメータ、RLF−TimersAndConstants−r9（OK）パラメータ、MeasSubframePatternPCell−r10（OK）パラメータ、およびNeighCellsCRS−Info−r11（OK）パラメータを含んでよい。サービングノードはRLC層と、MAC層と、物理層とを有するため、UEのMAC層設定と物理層設定を実現できる。第1のUEの設定パラメータはsrb−Identityパラメータ、rlc−Configパラメータ、およびlogicalChannelConfigパラメータをさらに含んでよい。
【０２４６】
本発明の本実施形態では第1の指示情報とRRC接続確立メッセージが第1のアンカーノードへまとめて送信されてよく、あるいは第1の指示情報とRRC接続確立メッセージが別々に送信されてもよい。したがって、下記ステップがさらに含まれてよい。サービングノードは第1のアンカーノードへ第1の指示情報を送信する。第1の指示情報はRRC接続確立メッセージがSRB0が運ぶRRCメッセージであることを第1のアンカーノードが第1の指示情報に従って認識するために使われ、RRC接続確立メッセージは第1のアンカーノードのRRCレイヤーエンティティが処理する。第1の指示情報は明示的なシグナリング指示であってよく、あるいは特定のメッセージ名であってもよい。特定のメッセージ名は、例えばSRB0RRCTransfer、およびInitialRRCTransferである。
【０２４７】
ステップ1006：サービングノードは第1のUEによって送信されるRRC接続確立完遂メッセージを受信する。
【０２４８】
RRC接続確立完遂メッセージはSRB1が運ぶRRCメッセージである。第1のUEによって送信されるRRC接続確立完遂メッセージをサービングノードが受信した後は、サービングノードの第1のRLCレイヤーエンティティがRRC接続確立完遂メッセージを処理し、処理したRRC接続確立完遂メッセージを転送する。サービングノードのRRCレイヤーエンティティは処理を遂行しない。
【０２４９】
本発明の本実施形態でRRC接続確立完遂メッセージはCRNTIを含んでよく、第1のアンカーノードはCRNTIに従って第1のUEで無線リンク障害RLFが発生しているかどうかを判断する。
【０２５０】
ステップ1007：サービングノードは、第1のアンカーノードと第1のUEとがRRC接続を確立できるようにするため、RRC接続確立完遂メッセージを第1のアンカーノードへ送信する。
【０２５１】
本発明の本実施形態で、サービングノードにより、第1のアンカーノードへRRC接続確立完遂メッセージを送信するステップは、サービングノードにより、RRC接続確立完遂メッセージに第2の指示情報を加えるステップを含んでよく、あるいはRRC接続確立完遂メッセージを運ぶコントロールプレーンシグナリングメッセージに第2の指示情報を加えるステップと、第1のアンカーノードへコントロールプレーンシグナリングメッセージを送信するステップとを含んでよい。第2の指示情報はRRC接続確立完遂メッセージがSRB1が運ぶRRCメッセージであることを第1のアンカーノードが第2の指示情報に従って認識するために使われる。第2の指示情報は、具体的には明示的なシグナリング指示であってよく、あるいは既定のメッセージ名であってもよい。
【０２５２】
サービングノードは第1のアンカーノードへ第2の指示情報を別途さらに送信してよい。第2の指示情報はRRC接続確立完遂メッセージがシグナリング無線ベアラSRB1が運ぶRRCメッセージであることを第1のアンカーノードが第2の指示情報に従って認識するために使われる。
【０２５３】
加えて、方法は、サービングノードのRLCレイヤーエンティティにより、第1のUEによって送信されRRC接続確立完遂メッセージを含むRRCメッセージを対応するPDCP PDUに加工するステップと、第1のアンカーノードへPDCP PDUを送信するステップとをさらに含んでよい。RRCメッセージはSRB1が運ぶRRCメッセージまたはSRB2が運ぶRRCメッセージを含み、RRC接続確立完遂メッセージはSRB1が運ぶRRCメッセージである。RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【０２５４】
方法は、サービングノードにより、第1のアンカーノードによって送信されるRRCメッセージに対応するPDCP PDUを受信するステップをさらに含んでよい。RRCメッセージはSRB1が運ぶRRCメッセージまたはSRB2が運ぶRRCメッセージを含む。RRCメッセージは、サービングノードの第1のRLCレイヤーエンティティがSRB1が運ぶRRCメッセージを処理し、処理したRRCメッセージをMAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０２５５】
前述した処理工程から分かるように、本発明の実施形態9ではコアネットワークのシグナリング負荷を効果的に軽減できる。また、第1のUEと第1のアンカーノードとの間にRRC接続を確立する際は、サービングノードがRRC接続要求メッセージを処理してRRC接続確立メッセージを生成する。したがって、アンカーノードによるRRC接続確立メッセージ生成に比べて遅延を効果的に減らすことができる。
【０２５６】
図11Aと図11Bは本発明の実施形態10によるサービングノード側におけるRRC接続方法の流れ図である。このRRC接続方法は図1に示されたネットワークアーキテクチャに基づいている。方法はサービングノードによって遂行される。サービングノードとアンカーノードとの間でRRCメッセージが送信されるときには、SRBタイプを指示するために使われる指示情報をさらに送信する必要がある。図11Aと図11Bに見られるように、方法は下記ステップを具体的に含む。
【０２５７】
ステップ1101：サービングノードはシステムメッセージをブロードキャストする。
【０２５８】
システムメッセージは、具体的にはRRC層のシステムメッセージである。サービングノードは、サービングノードの通信範囲内にあってサービングノードへ至る無線接続を確立した全てのUEへシステムメッセージをブロードキャストしてよく、あるいは所定の方針に従ってサービングノードへ至る無線接続を確立したUEから複数のUEを選択し、選択した複数のUEへシステムメッセージをブロードキャストしてもよい。
【０２５９】
ステップ1102：サービングノードはシステムメッセージに従って第1のUEによって送信されるランダムアクセスメッセージを受信する。
【０２６０】
本発明の本実施形態でシステムメッセージはアクセスパラメータを搬送してよい。第1のUEは受信したシステムメッセージで搬送されたアクセスパラメータに従ってランダムアクセスメッセージをサービングノードへ送信してよい。
【０２６１】
ステップ1103：第1のUEへランダムアクセス応答メッセージを送信し、ランダムアクセス応答メッセージは第1のUEに割り当てられたCRNTIを含む。
【０２６２】
ステップ1104：サービングノードは第1のUEによって送信されるRRC接続要求メッセージを受信する。
【０２６３】
RRC接続要求メッセージはSRB0が運ぶRRCメッセージである。本発明の本実施形態でサービングノードはSRB0が運ぶRRCメッセージを処理する機能を有する。RRC接続要求メッセージを受信したサービングノードは、RRC接続要求メッセージを処理のためRRCレイヤーエンティティへ引き渡す。
【０２６４】
ステップ1105：サービングノードはRRC接続要求メッセージに従ってRRC接続確立メッセージを生成し、第1のUEと第1のアンカーノードへRRC接続確立メッセージを送信し、RRC接続確立メッセージは第1のUEのCRNTIと設定パラメータとを含む。
【０２６５】
RRC接続確立メッセージはCRNTIを含み、第1のアンカーノードはCRNTIに従って第1のUEで無線リンク障害RLFが発生しているかどうかを判断する。
【０２６６】
本発明の本実施形態で、サービングノードにより、RRC接続要求メッセージに従ってRRC接続確立メッセージを生成するステップは、サービングノードにより、少なくとも1つのUEによって送信される受信RRC接続要求メッセージに従って第1のUEを含む少なくとも1つのUEから第1のUEを選択するステップと、第1のUEのRRC接続要求メッセージに従って第1のUEのRRC接続確立メッセージを生成するステップとを含む。
【０２６７】
RRC接続確立メッセージは第1のUEの設定パラメータを含み、第1のアンカーノードは第1のUEの設定パラメータに従って第1のUEが新たに接続されたUEであると認識し、第1のUEのUE contextを作る。
【０２６８】
第1のUEの設定パラメータはMAC層設定パラメータと物理層設定パラメータとを含んでよく、例えばSRB−ToAddModList（OK？）パラメータ、mac−MainConfig（OK）パラメータ、PhysicalConfigDedicated（OK）パラメータ、RLF−TimersAndConstants−r9（OK）パラメータ、MeasSubframePatternPCell−r10（OK）パラメータ、およびNeighCellsCRS−Info−r11（OK）パラメータを含んでよい。サービングノードはRLC層と、MAC層と、物理層とを有するため、UEのMAC層設定と物理層設定を実現できる。第1のUEの設定パラメータはsrb−Identityパラメータ、rlc−Configパラメータ、およびlogicalChannelConfigパラメータをさらに含んでよい。
【０２６９】
以上から分かるように、サービングノードはRRC接続要求メッセージを処理してRRC接続確立メッセージを生成する。したがって、アンカーノードによるRRC接続確立メッセージ生成に比べて遅延を効果的に減らすことができる。
【０２７０】
ステップ1106：サービングノードは第1のアンカーノードへ第1の指示情報を送信し、第1のアンカーノードは第1の指示情報に従ってRRC接続確立メッセージがSRB0が運ぶRRCメッセージであると認識し、第1のアンカーノードのRRCレイヤーエンティティは処理を遂行する。
【０２７１】
本発明の本実施形態では第1の指示情報とRRC接続確立メッセージが第1のアンカーノードへまとめて送信されてよく、あるいは第1の指示情報とRRC接続確立メッセージが別々に送信されてもよい。第1の指示情報は明示的なシグナリング指示であってよく、あるいは既定のメッセージ名であってもよい。既定のメッセージ名は、例えばSRB0RRCTransfer、およびInitialRRCTransferである。
【０２７２】
ステップ1107：サービングノードは第1のUEによって送信されるRRC接続確立完遂メッセージを受信する。
【０２７３】
ステップ1108：サービングノードはRRC接続確立完遂メッセージに第2の指示情報を加え、第1のアンカーノードへRRC接続確立完遂メッセージを送信し、第2の指示情報はRRC接続確立完遂メッセージがSRB1が運ぶRRCメッセージであることを第1のアンカーノードが第2の指示情報に従って認識するために使われ、これにより第1のアンカーノードと第1のUEでRRC接続を確立することが可能となる。
【０２７４】
第2の指示情報はさらに、RRC接続確立完遂メッセージを運ぶコントロールプレーンシグナリングメッセージに加えられてもよく、コントロールプレーンシグナリングメッセージは第1のアンカーノードへ送信され、あるいは第2の指示情報は別途送信される。第2の指示情報は、具体的には明示的なシグナリング指示であってよく、あるいは特定のメッセージ名であってもよい。
【０２７５】
ステップ1109：サービングノードのRLCレイヤーエンティティは第1のUEによって送信されRRC接続確立完遂メッセージを含むRRCメッセージを対応する単位PDCP PDUに加工し、第1のアンカーノードへPDCP PDUを送信し、RRCメッセージはSRB1が運ぶRRCメッセージまたはSRB2が運ぶRRCメッセージを含み、RRC接続確立完遂メッセージはSRB1が運ぶRRCメッセージであり、RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【０２７６】
ステップ1110：サービングノードは第1のアンカーノードによって送信されるRRCメッセージに対応するPDCP PDUを受信し、RRCメッセージはSRB1が運ぶRRCメッセージまたはSRB2が運ぶRRCメッセージを含み、RRCメッセージは、サービングノードの第1のRLCレイヤーエンティティがSRB1が運ぶRRCメッセージを処理し、処理したRRCメッセージを媒体アクセス制御MAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０２７７】
前述した処理工程から分かるように、本発明の本実施形態では、サービングノードとアンカーノードとの間でRRCメッセージが送信される際に、SRBタイプを指示するために使われる指示情報をさらに送信する必要があり、サービングノードとアンカーノードがSRBタイプに従って対応する処理を遂行することにより、サービングノードとアンカーノードでRRC機能の分離が実現する。
【０２７８】
図12は本発明の実施形態11によるサービングノード側におけるRRC再接続方法の流れ図である。このRRC再接続方法は図1に示されたネットワークアーキテクチャに基づいている。方法はサービングノードによって遂行される。図12に見られるように、方法は下記ステップを具体的に含む。
【０２７９】
ステップ1201：第2のサービングノードはシステムメッセージをブロードキャストする。
【０２８０】
システムメッセージは、具体的にはRRC層のシステムメッセージである。
【０２８１】
本発明の本実施形態で第1のUEは最初に第1のサービングノードへ至る接続を確立する可能性があり、その後第2のサービングノードへ至る接続を確立する可能性があり、つまり第1のUEはサービングノードを切り替える可能性がある。あるいは、第1のUEは第2のサービングノードへ至る接続を初めて確立した後に、第2のサービングノードへ至る接続を再び確立する可能性がある。
【０２８２】
ステップ1202：第2のサービングノードはシステムメッセージに従って第1のUEによって送信されるランダムアクセスメッセージを受信する。
【０２８３】
ステップ1203：第1のUEへランダムアクセス応答メッセージを送信する。
【０２８４】
ステップ1204：第2のサービングノードは第1のUEによって送信されるRRC接続再確立要求メッセージを受信する。
【０２８５】
RRC接続再確立要求メッセージは、具体的には第1のUEでRLFが生じた後に第2のサービングノードへ送信されるRRC接続再確立要求メッセージであってよい。
【０２８６】
ステップ1205：第2のサービングノードはRRC接続再確立要求メッセージに従ってRRC接続再確立メッセージを生成し、第1のUEへRRC接続再確立メッセージを送信する。
【０２８７】
本発明の本実施形態で第2のサービングノードは第1のアンカーノードへRRC接続再確立メッセージをさらに送信してよい。RRC接続再確立メッセージは第1の指示情報を搬送し、あるいはRRC接続再確立メッセージを運ぶコントロールプレーンシグナリングメッセージが第1の指示情報を搬送する。第1の指示情報はRRC接続再確立メッセージがSRB0が運ぶRRCメッセージであることを第1のアンカーノードが第1の指示情報に従って認識するために使われる。RRCメッセージは第1のアンカーノードのRRCレイヤーエンティティを用いて処理される。
【０２８８】
サービングノードは第1のアンカーノードへ第1の指示情報を別途送信してもよい。
【０２８９】
方法は、第1のUEの設定パラメータを第1のアンカーノードへ送信するステップをさらに含んでよく、これにより第1のアンカーノードは第1のUEの設定パラメータを知る。設定パラメータは少なくともMAC層設定とUE物理層設定とを含む。
【０２９０】
本発明の本実施形態で第1のアンカーノードは第1のUEの設定パラメータに従って第1のUEが新たに接続されたUEであると認識し、第1のUEのUE contextを作ってよい。
【０２９１】
ステップ1206：第2のサービングノードは第1のUEによって送信されるRRC接続再確立完遂メッセージを受信する。
【０２９２】
ステップ1207：第2のサービングノードは、第1のアンカーノードと第1のUEとがRRC接続を再度確立できるようにするため、RRC接続再確立完遂メッセージを第1のアンカーノードへ送信する。
【０２９３】
第2のサービングノードにより、第1のアンカーノードへRRC接続再確立完遂メッセージを送信するステップは、第2のサービングノードにより、RRC接続再確立完遂メッセージに第2の指示情報を加えることにより、あるいはRRC接続再確立完遂メッセージを運ぶコントロールプレーンシグナリングメッセージに第2の指示情報を加えることにより、第1のアンカーノードへ第2の指示情報を送信するステップを具体的に含んでよい。第2の指示情報はRRC接続再確立完遂メッセージがSRB1が運ぶRRCメッセージであることを第1のアンカーノードが第2の指示情報に従って認識するために使われる。
【０２９４】
サービングノードは第1のアンカーノードへ第2の指示情報を別途送信してもよい。
【０２９５】
RRC接続が再度確立された後に、方法は、第2のサービングノードのRLCレイヤーエンティティにより、第1のUEによって送信されRRC接続再確立完遂メッセージを含むRRCメッセージを対応するPDCP PDUに加工するステップをさらに含んでよい。RRCメッセージはSRB1が運ぶRRCメッセージまたはSRB2が運ぶRRCメッセージを含む。RRC接続再確立完遂メッセージはSRB1が運ぶRRCメッセージである。RRCメッセージは、第1のアンカーノードにある第1のPDCPレイヤーエンティティがSRB1が運ぶRRCメッセージを処理し、処理したRRCメッセージをRRCレイヤーエンティティへ送信するために使われ、あるいはRRCメッセージは、第1のアンカーノードにある第2のPDCPレイヤーエンティティがSRB2が運ぶRRCメッセージを処理し、処理したRRCメッセージをRRCレイヤーエンティティへ送信するために使われる。
【０２９６】
RRC接続が再度確立された後に、方法は、第2のサービングノードにより、第1のアンカーノードによって送信されるRRCメッセージに対応するPDCP PDUを受信するステップをさらに含んでよい。RRCメッセージはSRB1が運ぶRRCメッセージまたはSRB2が運ぶRRCメッセージを含む。RRCメッセージは、第2のサービングノードの第1のRLCレイヤーエンティティがSRB1が運ぶRRCメッセージを処理し、処理したRRCメッセージをMAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【０２９７】
前述した処理工程から分かるように、本発明の本実施形態で提供されるRRC再接続方法によってコアネットワークのシグナリング負荷は効果的に軽減できる。
【０２９８】
図13は本発明の実施形態12によるサービングノード側におけるRRC再接続方法の流れ図である。このRRC接続方法は図1に示されたネットワークアーキテクチャに基づいている。方法はサービングノードによって遂行される。第2のサービングノードは、アンカーノードから引き渡される補助パラメータに従って、UEに補助パラメータに従ってキーを生成することを指図する。図13に見られるように、方法は下記ステップを具体的に含む。
【０２９９】
ステップ1301：第2のサービングノードはシステムメッセージをブロードキャストする。
【０３００】
ステップ1302：第2のサービングノードはシステムメッセージに従って第1のUEによって送信されるランダムアクセスメッセージを受信する。
【０３０１】
ステップ1303：第1のUEへランダムアクセス応答メッセージを送信する。
【０３０２】
ステップ1304：第2のサービングノードは第1のUEによって送信されるRRC接続再確立要求メッセージを受信し、RRC接続再確立要求メッセージは第1のUEIDを含む。
【０３０３】
ステップ1305：第2のサービングノードは第1のアンカーノードへ至るRRC接続を確立した第1のUEの第1のユーザー機器識別子UEIDとNCCとを取得する。
【０３０４】
本発明の本実施形態で、第1のアンカーノードは、第1のアンカーノードへ至るRRC接続を確立した全てのUEのUEIDおよびNCCを第2のサービングノードへ送信してよい。あるいは、第1のアンカーノードは、第1のアンカーノードへ至るRRC接続を確立した全てのUEから、いくつかのUEを選択し、例えばセルの端に位置するいくつかのUEを選択し、あるいはサービングセル測定結果が所定の閾値に満たないいくつかのUEを選択し、選択したUEのUEIDおよびNCCを第2のサービングノードへ送信する。
【０３０５】
第1のアンカーノードは、第1のアンカーノードへ至るRRC接続を確立した全UEのUEIDおよびNCCを第2のサービングノードへ送信してよい。具体的に述べると、UEがRRC再接続を確立するセルは当初のサービングセルかもしれないし、あるいはサービングセルの隣接セルかもしれない。したがって、第1のアンカーノードは、第1のアンカーノードへ至るRRC接続を確立した全UEのUEIDおよびNCCを、隣接セルの基地局と当初のサービングセルの基地局へ送信し得る。
【０３０６】
第2のサービングノードは、第1のアンカーノードへ至るRRC接続を確立した第1のUEの第1のユーザー機器識別子UEIDと次ホップチェーンカウントNCCとを、以下に述べる2通りの様態で取得してよい。第1の様態では、第1のアンカーノードが第1のUEへ至るRRC接続を確立した後に、第2のサービングノードが第1のアンカーノードへ至るRRC接続を確立した第1のUEの第1のUEIDおよびNCCを取得する。第2の様態では、第1のアンカーノードへ要求メッセージを送信した後に、第2のサービングノードが、第1のアンカーノードによって送信される、RRC接続を確立した第1のUEの第1のUEIDおよびNCCを受信する。
【０３０７】
第2の様態において、要求メッセージは、具体的には第2のサービングノードが第1のUEの接続再確立要求メッセージを受信するときに第1のアンカーノードへ送信されてよい。
【０３０８】
方法は、第1のアンカーノードから第1のUEのRRC接続が切断された後に、第2のサービングノードにより、第1のアンカーノードによって送信されるシグナリングを受信するステップをさらに含んでよく、第2のサービングノードはシグナリングに従って第1のUEのNCCを解除する。
【０３０９】
第1のアンカーノードからの第1のUEのRRC接続切断は複数のケースを含み得、例えばRRC接続が切り替えられるケースや第1のUEがアイドル状態になるケースを含み得る。
【０３１０】
ステップ1306：第2のサービングノードは第1のUEIDに従ってNCCを取得し、NCCを含むRRC接続再確立メッセージを生成し、第1のUEへRRC接続再確立メッセージを送信し、第1のUEはNCCに従って新たなキーを得る。
【０３１１】
ステップ1307：第2のサービングノードは第1のUEによって送信されるRRC接続再確立完遂メッセージを受信する。
【０３１２】
ステップ1308：第1のアンカーノードと第1のUEとがRRC接続を再度確立できるようにするため、第1のアンカーノードへRRC接続再確立完遂メッセージを送信する。
【０３１３】
前述した処理工程から分かるように、本発明の本実施形態におけるRRC再接続方法によってコアネットワークのシグナリング負荷は効果的に軽減できる。また、第2のサービングノードは第1のアンカーノードから引き渡される補助パラメータに従ってRRC接続再確立メッセージを生成でき、RRC接続再確立メッセージで搬送される補助パラメータを用いて、第1のUEに補助パラメータに従って新たなキーを得ることを指図できる。
【０３１４】
図14は本発明の実施形態13によるサービングノード側におけるRRC再接続方法の流れ図である。このRRC接続方法は図1に示されたネットワークアーキテクチャに基づいている。方法はサービングノードによって遂行される。第2のサービングノードは、第1のアンカーノードから引き渡される補助パラメータに従って、第1のUEのソースセルが第2のサービングノードが置かれているセルの隣接セルであるか、第2のサービングノードが置かれているセルであると認識する。第1のUEのソースセルが第2のサービングノードが置かれているセルの隣接セルであるか、第2のサービングノードが置かれているセルであると認識される場合、第1のUEは当初のキーを使用するよう指図され、新たなキーを生成する必要はない。図14に見られるように、方法は下記ステップを具体的に含む。
【０３１５】
ステップ1401：第2のサービングノードはシステムメッセージをブロードキャストする。
【０３１６】
システムメッセージは、具体的にはRRC層のシステムメッセージである。
【０３１７】
ステップ1402：第2のサービングノードはシステムメッセージに従って第1のUEによって送信されるランダムアクセスメッセージを受信する。
【０３１８】
ステップ1403：第1のUEへランダムアクセス応答メッセージを送信する。
【０３１９】
ステップ1404：第2のサービングノードは第1のUEによって送信されるRRC接続再確立要求メッセージを受信し、RRC接続再確立要求メッセージはソースセルの識別子を含む。
【０３２０】
RRC接続再確立要求メッセージは、具体的には第1のUEでRLFが生じた後に第2のサービングノードへ送信されるRRC接続再確立要求メッセージであってよい。
【０３２１】
ステップ1405：第2のサービングノードは第1のアンカーノードが受け持つ隣接セルの識別子を取得する。
【０３２２】
隣接セルとはサービングノードに一致するセルの隣接セルである。
【０３２３】
ステップ1406：第2のサービングノードは、ソースセルが第1のアンカーノードが受け持つ隣接セルであるか、あるいはソースセルが現在のセルであると認識し、第1のUEへ第4の指示情報を送信することにより、当初のキーを使用することを第1のUEに指図するか、あるいは第1のUEのキーが変わらないことを指示するか、あるいはエボルブドノードB NodeBのキーKeNBを使って新たなキーを生成することを第1のUEに指図する。
【０３２４】
当初のキーとは第1のUEによって当初使われていたセキュリティキーである。第4の指示情報は、具体的には新たな指示であってよく、あるいはこの指示を表すためNCCはNULLに設定される。
【０３２５】
ステップ1407：第2のサービングノードはRRC接続再確立要求メッセージに従ってRRC接続再確立メッセージを生成し、第1のUEへRRC接続再確立メッセージを送信する。
【０３２６】
ステップ1406とステップ1407は1つのステップにまとめられてもよく、その場合はRRC接続再確立メッセージで第4の指示情報が搬送され、第1のUEへRRC接続再確立メッセージが送信される。
【０３２７】
ステップ1408：第2のサービングノードは第1のUEによって送信されるRRC接続再確立完遂メッセージを受信する。
【０３２８】
ステップ1409：第2のサービングノードは、第1のアンカーノードと第1のUEとがRRC接続を再度確立できるようにするため、RRC接続再確立完遂メッセージを第1のアンカーノードへ送信する。
【０３２９】
前述した処理工程から分かるように、本発明の本実施形態で提供されるRRC再接続方法によってコアネットワークのシグナリング負荷は効果的に軽減できる。また、第2のサービングノードは、第1のアンカーノードから引き渡される補助パラメータに従って、第1のUEのソースセルが第1のアンカーノードが受け持つ隣接セルであるか、あるいは第2のサービングノードが置かれているセルであることを認識し、すなわち第1のUEの第2のサービングノードと当初のサービングノードがいずれも第1のアンカーノードに属しているかどうかを認識する。第1のUEのソースセルが第1のアンカーノードが受け持つ隣接セルであるか、第2のサービングノードが置かれているセルであると認識される場合は、すなわち第1のUEの第2のサービングノードと当初のサービングノードがいずれも第1のアンカーノードに属していると認識される場合は、第1のUEは当初のキーを使用するよう指図され、新たなキーを生成する必要がないため、第1のUEの処理時間を効果的に短縮することができる。
【０３３０】
図15は本発明の実施形態14によるアンカーノード側におけるRRC接続方法の流れ図である。このRRC接続方法は図1に示されたネットワークアーキテクチャに基づいている。方法はアンカーノードによって遂行される。図15に見られるように、方法は下記ステップを具体的に含む。
【０３３１】
ステップ1501：第1のアンカーノードはサービングノードによって送信されるRRC接続確立完遂メッセージを受信する。
【０３３２】
ステップ1502：RRC接続確立完遂メッセージに従って第1のアンカーノードと第1のUEとの間にRRC接続を確立する。
【０３３３】
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【０３３４】
具体的に述べると、システムメッセージをブロードキャストし、システムメッセージに従って第1のUEによって送信されるランダムアクセスメッセージを受信し、第1のUEへランダムアクセス応答メッセージを送信した後に、サービングノードは第1のUEによって送信されるRRC接続要求メッセージを受信し、RRC接続要求メッセージに従ってRRC接続確立メッセージを生成し、第1のUEへRRC接続確立メッセージを送信する。第1のUEによって送信されるRRC接続確立完遂メッセージを受信した後に、サービングノードは第1のアンカーノードへRRC接続確立完遂メッセージを送信する。
【０３３５】
方法は、サービングノードにより、第1のUEによって送信されるRRC接続確立完遂メッセージを受信するステップの前に、第1のアンカーノードにより、サービングノードによって送信される第1のUEの設定パラメータとUE識別子とを受信するステップをさらに含んでよく、これにより第1のアンカーノードは第1のUEの設定パラメータを知る。
【０３３６】
第1のアンカーノードにより、サービングノードによって送信される第1のUEの設定パラメータを受信するステップは、第1のアンカーノードにより、サービングノードによって送信されるRRC接続確立メッセージを受信するステップを含んでよい。RRC接続確立メッセージは第1のUEの設定パラメータを含み、RRC接続確立メッセージは第1の指示情報を搬送し、あるいはRRC接続確立メッセージを運ぶコントロールプレーンシグナリングメッセージが第1の指示情報を搬送する。方法は、第1のアンカーノードにより、RRC接続確立メッセージがSRB0が運ぶRRCメッセージであることを第1の指示情報に従って認識するステップをさらに含んでよい。RRCメッセージは第1のアンカーノードのRRCレイヤーエンティティを用いて処理される。
【０３３７】
加えて、第1の指示情報はサービングノードから第1のアンカーノードへ別途送信されてもよい。この場合は、第1のアンカーノードがサービングノードによって送信される第1の指示情報を受信する必要もある。
【０３３８】
第1のアンカーノードにより、サービングノードによって送信されるRRC接続確立完遂メッセージを受信するステップは、第1のアンカーノードにより、サービングノードによって送信されRRC接続確立完遂メッセージを運ぶコントロールプレーンシグナリングメッセージを受信するステップを含んでよい。RRC接続確立完遂メッセージは第2の指示情報を搬送し、あるいはコントロールプレーンシグナリングメッセージが第2の指示情報を搬送し、第1のアンカーノードにより、RRC接続確立完遂メッセージがSRB1が運ぶRRCメッセージであることを第2の指示情報に従って認識する。
【０３３９】
加えて、第2の指示情報はサービングノードから第1のアンカーノードへ別途送信されてもよい。この場合は、第1のアンカーノードがサービングノードによって送信される第2の指示情報を受信する必要もある。
【０３４０】
方法は、サービングノードのRLCレイヤーエンティティが第1のUEによって送信されRRC接続確立完遂メッセージを含むRRCメッセージをPDCP PDUに加工した後に送信される対応するPDCP PDUを、第1のアンカーノードにより、受信するステップをさらに含んでよく、RRCメッセージはSRB1が運ぶRRCメッセージまたはSRB2が運ぶRRCメッセージを含み、RRC接続確立完遂メッセージはSRB1が運ぶRRCメッセージであり、方法は、第1のアンカーノードにある第1のPDCPレイヤーエンティティにより、SRB1が運ぶRRCメッセージに加工するステップと、加工したRRCメッセージをRRCレイヤーエンティティへ送信するステップとをさらに含んでよく、あるいは第1のアンカーノードにある第2のPDCPレイヤーエンティティにより、SRB2が運ぶRRCメッセージに加工するステップと、加工したRRCメッセージをRRCレイヤーエンティティへ送信するステップとをさらに含んでよい。
【０３４１】
方法は、第1のアンカーノードにより、RRCメッセージに対応するPDCP PDUをサービングノードへ送信するステップをさらに含んでよい。RRCメッセージはSRB1が運ぶRRCメッセージまたはSRB2が運ぶRRCメッセージを含み、RRCメッセージは、サービングノードの第1のRLCレイヤーエンティティがSRB1が運ぶRRCメッセージを処理し、処理したRRCメッセージをMAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０３４２】
前述した処理工程から分かるように、本発明の本実施形態によってコアネットワークのシグナリング負荷は効果的に軽減できる。また、第1のUEと第1のアンカーノードとの間にRRC接続を確立する際は、サービングノードがRRC接続要求メッセージを処理してRRC接続確立メッセージを生成する。したがって、アンカーノードによるRRC接続確立メッセージ生成に比べて遅延を効果的に減らすことができる。
【０３４３】
図16は本発明の実施形態15によるアンカーノード側におけるRRC接続方法の流れ図である。このRRC接続方法は図1に示されたネットワークアーキテクチャに基づいている。方法はアンカーノードによって遂行される。サービングノードとアンカーノードとの間でRRCメッセージが送信されるときには、SRBタイプを指示するために使われる指示情報をさらに送信する必要がある。図16に見られるように、方法は下記ステップを具体的に含む。
【０３４４】
ステップ1601：サービングノードが第1のUEによって送信されるRRC接続確立完遂メッセージを受信する前に、第1のアンカーノードはサービングノードによって送信される第1のUEの設定パラメータとUE識別子とを受信し、これにより第1のアンカーノードは第1のUEの設定パラメータを知る。
【０３４５】
第1のアンカーノードにより、サービングノードによって送信される第1のUEの設定パラメータを受信するステップは、第1のアンカーノードにより、サービングノードによって送信されるRRC接続確立メッセージを受信するステップを含んでよい。RRC接続確立メッセージは第1のUEの設定パラメータを含む。方法は、第1のアンカーノードにより、サービングノードによって送信される第1の指示情報を受信するステップと、第1のアンカーノードにより、RRC接続確立メッセージがSRB0が運ぶRRCメッセージであることを第1の指示情報に従って認識するステップと、第1のアンカーノードのRRCレイヤーエンティティを用いて処理を遂行するステップとをさらに含んでよい。
【０３４６】
加えて、第1の指示情報はRRC接続確立メッセージで搬送されてよく、あるいはRRC接続確立メッセージを運ぶコントロールプレーンシグナリングメッセージで搬送されてもよい。
【０３４７】
ステップ1602：第1のアンカーノードはサービングノードによって送信されるRRC接続確立完遂メッセージを受信する。
【０３４８】
ステップ1603：RRC接続確立完遂メッセージに従って第1のアンカーノードと第1のUEとの間にRRC接続を確立する。
【０３４９】
RRC接続確立完遂メッセージはサービングノードによって送信されるRRC接続確立メッセージに従って第1のUEによって生成されるRRC接続確立完遂メッセージであり、RRC接続確立完遂メッセージはサービングノードへ送信される。
【０３５０】
具体的に述べると、システムメッセージをブロードキャストし、システムメッセージに従って第1のユーザー機器UEによって送信されるランダムアクセスメッセージを受信し、第1のUEへランダムアクセス応答メッセージを送信した後に、サービングノードは第1のUEによって送信されるRRC接続要求メッセージを受信し、RRC接続要求メッセージに従ってRRC接続確立メッセージを生成し、第1のUEへRRC接続確立メッセージを送信する。第1のUEによって送信されるRRC接続確立完遂メッセージを受信した後に、サービングノードは第1のアンカーノードへRRC接続確立完遂メッセージを送信する。
【０３５１】
第1のアンカーノードにより、サービングノードによって送信されるRRC接続確立完遂メッセージを受信するステップは、第1のアンカーノードにより、サービングノードによって送信されRRC接続確立完遂メッセージを運ぶコントロールプレーンシグナリングメッセージを受信するステップを含んでよく、RRC接続確立完遂メッセージは第2の指示情報を搬送し、あるいはコントロールプレーンシグナリングメッセージが第2の指示情報を搬送し、第1のアンカーノードにより、サービングノードによって送信されるRRC接続確立完遂メッセージを受信するステップは、第1のアンカーノードにより、RRC接続確立完遂メッセージがSRB1が運ぶRRCメッセージであることを第2の指示情報に従って認識するステップを含んでよい。
【０３５２】
第1のアンカーノードはサービングノードによって送信される第2の指示情報を別途受信してもよい。第1のアンカーノードはRRC接続確立完遂メッセージがSRB1が運ぶRRCメッセージであることを第2の指示情報に従って認識する。
【０３５３】
本発明の本実施形態において、方法は、サービングノードのRLCレイヤーエンティティが第1のUEによって送信されRRC接続確立完遂メッセージを含むRRCメッセージをPDCP PDUに加工した後に送信される対応するPDCP PDUを、第1のアンカーノードにより、受信するステップをさらに含んでよく、RRCメッセージはSRB1が運ぶRRCメッセージまたはSRB2が運ぶRRCメッセージを含み、RRC接続確立完遂メッセージはSRB1が運ぶRRCメッセージであり、方法は、第1のアンカーノードにある第1のPDCPレイヤーエンティティにより、SRB1が運ぶRRCメッセージを処理するステップと、処理したRRCメッセージをRRCレイヤーエンティティへ送信するステップとをさらに含んでよく、あるいは第1のアンカーノードにある第2のPDCPレイヤーエンティティにより、SRB2が運ぶRRCメッセージを処理するステップと、処理したRRCメッセージをRRCレイヤーエンティティへ送信するステップとをさらに含んでよい。
【０３５４】
方法は、第1のアンカーノードにより、RRCメッセージに対応するPDCP PDUをサービングノードへ送信するステップをさらに含んでよい。RRCメッセージはSRB1が運ぶRRCメッセージまたはSRB2が運ぶRRCメッセージを含み、RRCメッセージは、サービングノードの第1のRLCレイヤーエンティティがSRB1が運ぶRRCメッセージを処理し、処理したRRCメッセージをMAC層と物理層とを使って第1のUEへ送信するために使われ、あるいはRRCメッセージは、サービングノードの第2のRLCレイヤーエンティティがSRB2が運ぶRRCメッセージを処理し、処理したRRCメッセージをMAC層と物理層とを使って第1のUEへ送信するために使われる。
【０３５５】
前述した処理工程から分かるように、本発明の本実施形態では、サービングノードとアンカーノードとの間でRRCメッセージが送信される際に、SRBタイプを指示するために使われる指示情報をさらに送信する必要があり、サービングノードとアンカーノードがSRBタイプに従って対応する処理を遂行することにより、サービングノードとアンカーノードでRRC機能の分離が実現する。
【０３５６】
図17は本発明の実施形態16によるアンカーノード側におけるRRC再接続方法の流れ図である。このRRC再接続方法は図1に示されたネットワークアーキテクチャに基づいている。方法はアンカーノードによって遂行される。図17に見られるように、方法は下記ステップを具体的に含む。
【０３５７】
ステップ1701：第1のアンカーノードは第2のサービングノードによって送信されるRRC接続再確立完遂メッセージを受信する。
【０３５８】
ステップ1702：RRC接続再確立完遂メッセージに従って第1のアンカーノードと第1のUEとの間にRRC接続を再度確立する。
【０３５９】
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【０３６０】
具体的に述べると、システムメッセージをブロードキャストし、システムメッセージに従って第1のユーザー機器UEによって送信されるランダムアクセスメッセージを受信し、第1のUEへランダムアクセス応答メッセージを送信した後に、第2のサービングノードは第1のUEによって送信されるRRC接続再確立要求メッセージを受信し、RRC接続再確立要求メッセージに従ってRRC接続再確立メッセージを生成し、第1のUEへRRC接続再確立メッセージを送信する。第1のUEによって送信されるRRC接続再確立完遂メッセージを受信した後に、サービングノードは第1のアンカーノードへRRC接続再確立完遂メッセージを送信する。
【０３６１】
第2のサービングノードにより、第1のUEによって送信されるRRC接続再確立完遂メッセージを受信するステップの前に、方法は、第1のアンカーノードにより、第2のサービングノードによって送信されるRRC接続再確立メッセージと第1の指示情報とを受信するステップと、第1のアンカーノードにより、RRC接続再確立メッセージがSRB0が運ぶRRCメッセージであることを第1の指示情報に従って認識するステップとをさらに含んでよい。RRCメッセージは第1のアンカーノードのRRCレイヤーエンティティを用いて処理される。
【０３６２】
あるいは、第2のサービングノードにより、第1のUEによって送信されるRRC接続再確立完遂メッセージを受信するステップの前に、方法は、第1のアンカーノードにより、第2のサービングノードによって送信されるRRC接続再確立メッセージを受信するステップをさらに含んでよい。RRC接続再確立メッセージは第1の指示情報を搬送し、あるいはRRC接続再確立メッセージを運ぶコントロールプレーンシグナリングメッセージが第1の指示情報を搬送する。第1の指示情報はRRC接続再確立メッセージがSRB0が運ぶRRCメッセージであることを第1のアンカーノードが第1の指示情報に従って認識するために使われる。RRCメッセージは第1のアンカーノードのRRCレイヤーエンティティを用いて処理される。
【０３６３】
第2のサービングノードにより、第1のUEによって送信されるRRC接続再確立完遂メッセージを受信するステップの前に、方法は、第1のアンカーノードにより、第2のサービングノードによって送信される第1のUEの設定パラメータを受信するステップをさらに含んでよく、これにより第1のアンカーノードは第1のUEの設定パラメータを知る。
【０３６４】
第1のアンカーノードにより、第2のサービングノードによって送信されるRRC接続再確立完遂メッセージを受信するステップは、第1のアンカーノードにより、第2のサービングノードによって送信されるRRC接続再確立完遂メッセージを受信するステップであって、RRC接続再確立完遂メッセージは第2の指示情報を搬送し、あるいはRRC接続再確立完遂メッセージを運ぶコントロールプレーンシグナリングメッセージが第2の指示情報を搬送する、ステップと、第1のアンカーノードにより、RRC接続再確立完遂メッセージがSRB1が運ぶRRCメッセージであることを第2の指示情報に従って認識するステップを含んでよい。
【０３６５】
あるいは、方法は、第1のアンカーノードにより、第2のサービングノードによって送信される第2の指示情報を受信するステップと、第1のアンカーノードにより、RRC接続再確立完遂メッセージがSRB1が運ぶRRCメッセージであることを第2の指示情報に従って認識するステップをさらに含んでよい。
【０３６６】
方法は、
第2のサービングノードのRLCレイヤーエンティティが第1のUEによって送信されRRC接続再確立完遂メッセージを含むRRCメッセージをPDCP PDUに加工した後に、第1のアンカーノードへ送信される対応するPDCP PDUを、第1のアンカーノードにより、受信するステップをさらに含んでよく、RRCメッセージはSRB1が運ぶRRCメッセージまたはSRB2が運ぶRRCメッセージを含み、RRC接続再確立完遂メッセージはSRB1が運ぶRRCメッセージであり、方法は、第1のアンカーノードにある第1のPDCPレイヤーエンティティにより、SRB1が運ぶRRCメッセージを処理するステップと、処理したRRCメッセージをRRCレイヤーエンティティへ送信するステップとをさらに含んでよく、あるいは第1のアンカーノードにある第2のPDCPレイヤーエンティティにより、SRB2が運ぶRRCメッセージを処理するステップと、処理したRRCメッセージをRRCレイヤーエンティティへ送信するステップとをさらに含んでよい。
【０３６７】
方法は、
第1のアンカーノードにより、RRCメッセージに対応するPDCP PDUを第2のサービングノードへ送信するステップをさらに含んでよく、RRCメッセージはSRB1が運ぶRRCメッセージまたはSRB2が運ぶRRCメッセージを含み、RRCメッセージは、第2のサービングノードの第1のRLCレイヤーエンティティがSRB1が運ぶRRCメッセージを処理し、処理したRRCメッセージをMAC層と物理層とを使って第1のUEへ送信するために使われ、あるいはRRCメッセージは、第2のサービングノードの第2のRLCレイヤーエンティティがSRB2が運ぶRRCメッセージを処理し、処理したRRCメッセージをMAC層と物理層とを使って第1のUEへ送信するために使われる。
【０３６８】
前述した処理工程から分かるように、本発明の本実施形態で提供されるRRC再接続方法によってコアネットワークのシグナリング負荷は効果的に軽減できる。
【０３６９】
図18は本発明の実施形態17によるアンカーノード側におけるRRC再接続方法の流れ図である。このRRC再接続方法は図1に示されたネットワークアーキテクチャに基づいている。方法はアンカーノードによって遂行され、第2のサービングノードは、アンカーノードから引き渡される補助パラメータに従って、UEに補助パラメータに従ってキーを生成することを指図する。図18に見られるように、方法は下記ステップを具体的に含む。
【０３７０】
ステップ1801：第2のサービングノードが第1のUEへRRC接続再確立メッセージを送信する前に、第1のアンカーノードは第1のアンカーノードがRRC接続を確立した第1のUEの第1のユーザー機器識別子UEIDと次ホップチェーンカウントNCCとを第2のサービングノードへ送信する。
【０３７１】
本発明の本実施形態で、第1のアンカーノードにより、第1のアンカーノードがRRC接続を確立した第1のUEの第1のユーザー機器識別子UEIDと次ホップチェーンカウントNCCとを第2のサービングノードへ送信するステップは、
第1のアンカーノードが第1のUEへ至るRRC接続を確立した後に、第1のアンカーノードにより、第1のアンカーノードがRRC接続を確立した第1のUEの第1のユーザー機器識別子UEIDと次ホップチェーンカウントNCCとを第2のサービングノードへ送信するステップを含んでよく、あるいは
第1のアンカーノードが第2のサービングノードによって送信される要求メッセージを受信した後に、第1のアンカーノードがRRC接続を確立した第1のUEの第1のUEIDとNCCとを第2のサービングノードへ送信するステップを含んでよい。
【０３７２】
加えて、第1のアンカーノードにより、第1のアンカーノードがRRC接続を確立した第1のUEの第1のユーザー機器識別子UEIDと次ホップチェーンカウントNCCとを第2のサービングノードへ送信するステップの後に、方法は、第1のアンカーノードから第1のUEのRRC接続が切断された後に、第1のアンカーノードにより、第2のサービングノードへシグナリングを送信するステップをさらに含んでよく、第2のサービングノードはシグナリングに従って第1のUEのNCCを解除する。
【０３７３】
ステップ1802：第1のアンカーノードは第2のサービングノードによって送信されるRRC接続再確立完遂メッセージを受信する。
【０３７４】
ステップ1803：RRC接続再確立完遂メッセージに従って第1のアンカーノードと第1のUEとの間にRRC接続を再度確立する。
【０３７５】
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【０３７６】
具体的に述べると、システムメッセージをブロードキャストし、システムメッセージに従って第1のユーザー機器UEによって送信されるランダムアクセスメッセージを受信し、第1のUEへランダムアクセス応答メッセージを送信した後に、第2のサービングノードは第1のUEによって送信されるRRC接続再確立要求メッセージを受信し、RRC接続再確立要求メッセージに従ってRRC接続再確立メッセージを生成し、第1のUEへRRC接続再確立メッセージを送信する。第1のUEによって送信されるRRC接続再確立完遂メッセージを受信した後に、サービングノードは第1のアンカーノードへRRC接続再確立完遂メッセージを送信する。
【０３７７】
第2のサービングノードにより、第1のUEによって送信されるRRC接続再確立要求メッセージを受信するステップは、第2のサービングノードにより、第1のUEによって送信されるRRC接続再確立要求メッセージを受信するステップを含んでよい。RRC接続再確立要求メッセージは第1のUEIDを含む。
【０３７８】
第2のサービングノードにより、RRC接続再確立要求メッセージに従ってRRC接続再確立メッセージを生成するステップと、第1のUEへRRC接続再確立メッセージを送信するステップは、第2のサービングノードにより、第1のUEIDに従ってNCCを取得するステップと、NCCを含むRRC接続再確立メッセージを生成するステップと、第1のUEへRRC接続再確立メッセージを送信するステップとを含み、これにより第1のUEはNCCに従って新たなキーを得る。
【０３７９】
前述した処理工程から分かるように、本発明の本実施形態におけるRRC再接続方法ではコアネットワークのシグナリング負荷を効果的に軽減できる。また、第2のサービングノードは第1のアンカーノードから引き渡される補助パラメータに従ってRRC接続再確立メッセージを生成でき、RRC接続再確立メッセージで搬送される補助パラメータを用いて、第1のUEに補助パラメータに従って新たなキーを得ることを指図できる。
【０３８０】
図19は本発明の実施形態18によるアンカーノード側におけるRRC再接続方法の流れ図である。このRRC接続方法は図1に示されたネットワークアーキテクチャに基づいている。方法はアンカーノードによって遂行され、第2のサービングノードは、第1のアンカーノードから引き渡される補助パラメータに従って、第1のUEのソースセルが第2のサービングノードが置かれているセルの隣接セルであるか、第2のサービングノードが置かれているセルであると認識する。第1のUEのソースセルが第2のサービングノードが置かれているセルの隣接セルであるか、第2のサービングノードが置かれているセルであると認識される場合、第1のUEは当初のキーを使用するよう指図され、新たなキーを生成する必要はない。図19に見られるように、方法は下記ステップを具体的に含む。
【０３８１】
ステップ1901：第2のサービングノードが第1のUEへRRC接続再確立メッセージを送信する前に、第1のアンカーノードは第1のアンカーノードが受け持つ隣接セルの識別子を第2のサービングノードへ送信する。
【０３８２】
ステップ1902：第1のアンカーノードは第2のサービングノードによって送信されるRRC接続再確立完遂メッセージを受信する。
【０３８３】
ステップ1903：RRC接続再確立完遂メッセージに従って第1のアンカーノードと第1のUEとの間にRRC接続を再度確立する。
【０３８４】
RRC接続再確立完遂メッセージは第2のサービングノードによって送信されるRRC接続再確立メッセージに従って第1のUEによって生成されるRRC接続再確立完遂メッセージであり、RRC接続再確立完遂メッセージは第2のサービングノードへ送信される。
【０３８５】
具体的に述べると、システムメッセージをブロードキャストし、システムメッセージに従って第1のユーザー機器UEによって送信されるランダムアクセスメッセージを受信し、第1のUEへランダムアクセス応答メッセージを送信した後に、第2のサービングノードは第1のUEによって送信されるRRC接続再確立要求メッセージを受信し、RRC接続再確立要求メッセージに従ってRRC接続再確立メッセージを生成し、第1のUEへRRC接続再確立メッセージを送信する。第1のUEによって送信されるRRC接続再確立完遂メッセージを受信した後に、サービングノードは第1のアンカーノードへRRC接続再確立完遂メッセージを送信する。
【０３８６】
RRC接続再確立要求メッセージはソースセルの識別子を含み、第2のサービングノードは、ソースセルが第1のアンカーノードが受け持つ隣接セルであるか、あるいはソースセルが現在のセルであると認識し、第1のUEへ第4の指示情報を送信することにより、当初のキーを使用することを第1のUEに指図するか、あるいは第1のUEのキーが変わらないことを指示するか、あるいはKeNBを使って新たなキーを生成することを第1のUEに指図する。
【０３８７】
前述した処理工程から分かるように、本発明の本実施形態で提供されるRRC再接続方法ではコアネットワークのシグナリング負荷を効果的に軽減できる。また、第2のサービングノードは第1のアンカーノードから引き渡される補助パラメータに従って、第1のUEのソースセルが第1のアンカーノードが受け持つ隣接セルであるか、あるいは第2のサービングノードが置かれているセルであることを認識し、すなわち第1のUEの第2のサービングノードと当初のサービングノードがいずれも第1のアンカーノードに属しているかどうかを認識する。第1のUEのソースセルが第1のアンカーノードが受け持つ隣接セルであるか、第2のサービングノードが置かれているセルであると認識される場合は、すなわち第1のUEの第2のサービングノードと当初のサービングノードがいずれも第1のアンカーノードに属していると認識される場合は、第1のUEは当初のキーを使用するよう指図され、新たなキーを生成する必要がないため、第1のUEの処理時間を効果的に短縮することができる。
【０３８８】
当業者なら、本明細書で開示されている実施形態で説明されている例から、ユニットやアルゴリズムのステップを電子ハードウェア、コンピュータソフトウェア、またはこれらの組み合わせで実装できることに気づくことができる。ハードウェアとソフトウェアとの互換性を明確に説明するため、上記では全般的にそれぞれの例の構成とステップを機能に基づいて説明した。これらの機能がハードウェアによって遂行されるかソフトウェアによって遂行されるかは、具体的な応用と技術的解決手段の設計制約条件しだいで決まる。当業者なら具体的な応用で別の方法を用いて説明されている機能を実装することもできるが、その実装は本発明の範囲を超えていると考えるべきものではない。
【０３８９】
本明細書で開示されている実施形態で説明されている方法やアルゴリズムのステップはハードウェアにより、処理器によって実行されるソフトウェアモジュールにより、またはこれらの組み合わせにより、実装されてよい。ソフトウェアモジュールは、ランダムアクセスメモリー（RAM）、メモリー、読み取り専用メモリー（ROM）、電気的にプログラム可能なROM、電気的に消去可能でプログラム可能なROM、レジスタ、ハードディスク、リムーバブルディスク、CD−ROM、または当技術で周知の他の何らかの記憶媒体形態に存在してよい。
【０３９０】
前述した特定の実装では、本発明の目的と技術的解決手段と利点とがさらに詳しく説明されている。上記の説明が本発明の特定の実装に過ぎず、本発明の保護範囲を限定するものではないことを理解されたい。本発明の精神と原理から逸脱せずになされる変更や同等の差し替えや改良は本発明の保護範囲内に入る。
【符号の説明】
【０３９１】
101  モビリティマネジメントエンティティ
102  サービングゲートウェイ
103  アンカーノード
104  サービングノード
105  ユーザー機器
201  送信ユニット
202  受信ユニット
203  メッセージ生成ユニット
204  パケットデータ処理ユニット
301  送信ユニット
302  受信ユニット
303  メッセージ生成ユニット
304  第1の取得ユニット
305  シグナリング受信ユニット
306  解除ユニット
307  第2の取得ユニット
308  パケットデータ処理ユニット
401  受信ユニット
402  接続確立ユニット
403  認識ユニット
404  第1のパケットデータ処理ユニット
405  第2のパケットデータ処理ユニット
406  送信ユニット
501  受信ユニット
502  接続再確立ユニット
503  第1の送信ユニット
504  シグナリング送信ユニット
505  第2の送信ユニット
506  認識ユニット
507  第1のパケットデータ処理ユニット
508  第2のパケットデータ処理ユニット
509  第3の送信ユニット
601,701  送信器
602,702,801,901  受信器
603,703,802,902  処理器
【図１】
0006562571.tif 000002
【図２】
0006562571.tif 000003
【図３】
0006562571.tif 000004
【図４】
0006562571.tif 000005
【図５】
0006562571.tif 000006
【図６】
0006562571.tif 000007
【図７】
0006562571.tif 000008
【図８】
0006562571.tif 000009
【図９】
0006562571.tif 000010
【図１０】
0006562571.tif 000011
【図１１Ａ】
0006562571.tif 000012
【図１１Ｂ】
0006562571.tif 000013
【図１２】
0006562571.tif 000014
【図１３】
0006562571.tif 000015
【図１４】
0006562571.tif 000016
【図１５】
0006562571.tif 000017
【図１６】
0006562571.tif 000018
【図１７】
0006562571.tif 000019
【図１８】
0006562571.tif 000020
【図１９】
0006562571.tif 000021